(57)【要約】      （修正有）【課題】信号の劣化を抑制できるコネクタを提供する。【解決手段】コネクタは、ボディに保持された端子Ｓ１ａ２、Ｓ１ｂ２、端子Ｓ２ａ２及び端子Ｇ２２を備えている。端子Ｓ１ａ２、Ｓ１ｂ２は、Ｘ方向及びＹ’方向の成分を含む方向に伸びた中間部Ｓ１ａ３、Ｓ１ｂ３を有する。中間部Ｓ１ａ３、Ｓ１ｂ３の一対の縁が平行である。端子Ｓ２ａ２は、Ｘ方向及びＹ’方向の成分を含む方向に伸びた中間部Ｓ２ａ３を有する。中間部Ｓ２ａ３の一対の縁が互いに平行である。端子Ｇ２２は、Ｘ方向及びＹ’方向の成分を含む方向に伸びた中間部Ｇ２３を有する。中間部Ｇ２３の一対の縁は非平行であり、一方が縁に略平行である。【選択図】図３Ｂ
2015207506.tif 000002
【特許請求の範囲】
【請求項１】
絶縁性を有するボディと、
前記ボディに部分的に略同じ高さ位置で第１方向に間隔をあけて保持された一対の第１端子、第２端子及び第３端子とを備えており、
前記第１端子は前記第１方向に交差する第２方向に延びており且つ互いに隣り合う差動信号端子であって、前記第１方向の一方側に位置する一方の第１端子と、前記第１方向の他方側に位置する他方の第１端子とを有しており、
当該一方及び他方の第１端子は、第１接点部と、
前記第１接点部の前記第１方向の一方及び前記第２方向の成分を含む斜め方向側に位置する第１接続部と、
前記第１接点部と前記第１接続部との間に設けられており且つ前記第１方向の一方及び前記第２方向の成分を含む斜め方向に延びた第１中間部とを有しており、
前記第１中間部は前記第１方向の一対の縁を有しており、
当該一方及び他方の第１端子の前記第１中間部の前記縁が平行であり、
前記第２端子は前記第２方向に延びた信号端子であり、
当該第２端子は、第２接点部と、
前記第２接点部の前記第１方向の一方及び前記第２方向の成分を含む斜め方向側に位置する第２接続部と、
前記第２接点部と前記第２接続部との間に設けられ、前記第１方向の一方及び前記第２方向の成分を含む斜め方向に延びており且つ前記第１中間部よりも前記第１方向の一方に傾斜している第２中間部とを有しており、
前記第２中間部は、互いに平行であり且つ前記第１中間部の前記縁に対して非平行である前記第１方向の一対の縁を有しており、
前記第３端子は、前記第２方向に延びたグランド端子、又は前記第２方向に延びており且つ前記第１、第２端子よりも低速の信号を伝送可能な低速信号端子であって、前記一方の第１端子と前記第２端子との間に配置されており、
前記第３端子は、第３接点部と、
前記第３接点部の前記第１方向の一方及び前記第２方向の成分を含む斜め方向側に位置する第３接続部と、
前記第３接点部と前記第３接続部との間に設けられており且つ前記第１方向の一方及び前記第２方向の成分を含む斜め方向に延びた第３中間部とを有しており、
前記第３中間部は、互いに非平行である前記第１方向の一対の縁を有しており、当該第３中間部の前記一対の縁のうち、前記一方の第１端子の前記第１中間部の隣に位置する縁が、当該第１端子の前記第１中間部の前記縁に対して略平行であり、当該第３中間部の前記一対の縁のうち、前記第２端子の前記第２中間部の隣に位置する縁が、当該第２端子の前記第２中間部の前記縁に対して略平行であるコネクタ。
【請求項２】
請求項１記載のコネクタにおいて、
前記第２端子は、互いに隣り合う一対の差動信号端子であって、前記第１方向の一方側に位置する一方の第２端子と、前記第１方向の他方側に位置する他方の第２端子とを有しており、
当該一方及び他方の第２端子の前記第２中間部の前記縁が平行であり且つ前記第１中間部の前記縁に対して非平行であり、
前記第３端子は、前記一方の第１端子と前記他方の第２端子との間に配置されており、
前記第３端子の前記第３中間部の前記一対の縁のうち、前記第２端子の前記第２中間部の隣に位置する縁が、前記他方の第２端子の隣に位置し、当該第２端子の前記第２中間部の前記縁に対して略平行であるコネクタ。
【請求項３】
請求項２記載のコネクタにおいて、
第４端子と、第５端子とを更に備えており、
前記第４端子は、前記第２方向に延びたグランド端子、又は前記第２方向に延びており且つ前記第１端子よりも低速の信号を伝送可能な低速信号端子であって、前記他方の第１端子の前記第１方向の他方側で、前記ボディに部分的に保持されており、
前記第５端子は、前記第２方向に延びたグランド端子、又は前記第２方向に延びており且つ前記第２端子よりも低速の信号を伝送可能な低速信号端子であって、前記一方の第２端子の前記第１方向の一方側で、前記ボディに部分的に保持されているコネクタ。
【請求項４】
請求項３記載のコネクタにおいて、
前記第４端子は、第４接点部と、
前記第４接点部の前記第２方向の成分を含む方向側に位置する第４接続部と、
前記第４接点部と前記第４接続部との間に設けられた第４中間部とを有しており、
前記第４中間部は、前記第１方向の一対の縁を有しており、当該第４中間部の前記一対の縁のうち、前記他方の第１端子の前記第１中間部の隣に位置する縁が、当該第１端子の前記第１中間部の前記縁に対して略平行であり、
前記第５端子は、第５接点部と、
前記第５接点部の前記第２方向の成分を含む方向側に位置する第５接続部と、
前記第５接点部と前記第５接続部との間に設けられた第５中間部とを有しており、
前記第５中間部は、前記第１方向の一対の縁を有しており、当該第５中間部の前記一対の縁のうち、前記一方の第２端子の前記第２中間部の隣に位置する縁が、当該第２端子の前記第２中間部の前記縁に対して略平行であり、
前記一方の第１端子の前記第１中間部と前記第３端子の前記第３中間部との間の距離と、前記他方の第１端子の前記第１中間部と前記第４端子の前記第４中間部との間の距離とが略同じであり、
前記一方の第２端子の前記第２中間部と前記第５中間部との間の距離と、前記他方の第２端子の前記第２中間部と前記第３端子の前記第３中間部との間の距離とが略同じであるコネクタ。
【請求項５】
請求項１〜４の何れかに記載のコネクタにおいて、
前記第１端子は、前記第１接続部と前記第１中間部との間の境界部を更に有し、
前記第２端子は、前記第２接続部と前記第２中間部との間の境界部を更に有し、
前記第３端子は、前記第３接続部と前記第３中間部との間の境界部を更に有し、
前記第１端子、前記第２端子及び前記第３端子の前記境界部が前記第１方向に並んでいるコネクタ。
【請求項６】
請求項１〜５の何れかに記載のコネクタにおいて、
前記第３端子の前記第３中間部の前記縁の間の距離のうち最も大きい距離が、前記第１端子の前記第１中間部の前記縁の間の距離及び前記第２端子の前記第２中間部の前記縁の間の距離よりも大きいコネクタ。
【請求項７】
絶縁性を有するボディと、
前記ボディに、部分的に略同じ高さ位置で第１方向に間隔をあけて保持された一対の第１端子、第２端子、第６端子及び第７端子とを備えており、
前記第１端子は前記第１方向に交差する第２方向に延びており且つ互いに隣り合う差動信号端子であって、前記第１方向の一方側に位置する一方の第１端子と、前記第１方向の他方側に位置する他方の第１端子とを有しており、
当該一方及び他方の第１端子は、第１接点部と、
前記第１接点部の前記第１方向の一方及び前記第２方向の成分を含む斜め方向側に位置する第１接続部と、
前記第１接点部と前記第１接続部との間に設けられており且つ前記第１方向の一方及び前記第２方向の成分を含む斜め方向に延びた第１中間部とを有しており、
前記第１中間部は前記第１方向の一対の縁を有しており、
当該一方及び他方の第１端子の前記第１中間部の前記縁が平行であり、
前記第２端子は前記第２方向に延びた信号端子であり、
当該第２端子は、第２接点部と、
前記第２接点部の前記第１方向の一方及び前記第２方向の成分を含む斜め方向側に位置する第２接続部と、
前記第２接点部と前記第２接続部との間に設けられ、前記第１方向の一方及び前記第２方向の成分を含む斜め方向に延びており且つ前記第１中間部よりもよりも前記第１方向の一方に傾斜している第２中間部とを有しており、
前記第２中間部は、互いに平行であり且つ前記第１中間部の前記縁に対して非平行である前記第１方向の一対の縁を有しており、
前記第６端子は、前記第２方向に延びたグランド端子、又は前記第２方向に延びており且つ前記第１、第２端子よりも低速の信号を伝送可能な低速信号端子であって、前記一方の第１端子と前記第２端子との間で、当該一方の第１端子の隣に配置されており、
前記第６端子は、第６接点部と、
前記第６接点部の前記第１方向の一方及び前記第２方向の成分を含む斜め方向側に位置する第６接続部と、
前記第６接点部と前記第６接続部との間に設けられており且つ前記第１方向の一方及び前記第２方向の成分を含む斜め方向に延びた第６中間部とを有しており、
前記第６中間部は、前記第１方向の一対の縁を有しており、当該第６中間部の前記一対の縁のうち、前記一方の第１端子の前記第１中間部の隣に位置する一方の縁が、当該第１端子の前記第１中間部の前記縁に対して略平行であり、
前記第７端子は、前記第２方向に延びたグランド端子、又は前記第２方向に延びており且つ前記第１、第２端子よりも低速の信号を伝送可能な低速信号端子であって、前記一方の第１端子と前記第２端子との間で、当該第２端子の隣に配置されており、
前記第７端子は、第７接点部と、
前記第７接点部の前記第１方向の一方及び前記第２方向の成分を含む斜め方向側に位置する第７接続部と、
前記第７接点部と前記第７接続部との間に設けられており且つ前記第１方向の一方及び前記第２方向の成分を含む斜め方向に延びた第７中間部とを有しており、
前記第７中間部は、前記第１方向の一対の縁を有しており、当該第７中間部の前記一対の縁のうち、前記第２端子の前記第２中間部の隣に位置する縁が、当該第２端子の前記第２中間部の前記縁に対して略平行であり且つ前記第６端子の前記第６中間部の前記一方の縁に対して非平行であるコネクタ。
【請求項８】
請求項７記載のコネクタにおいて、
前記第２端子は、互いに隣り合う一対の差動信号端子であって、前記第１方向の一方側に位置する一方の第２端子と、前記第１方向の他方側に位置する他方の第２端子とを有しており、
当該一方及び他方の第２端子の前記第２中間部の前記縁が平行であり且つ前記第１中間部の前記縁に対して非平行であり、
前記第６端子は、前記一方の第１端子と前記他方の第２端子との間で、当該一方の第１端子の隣に配置されており、
前記第７端子は、前記一方の第１端子と前記他方の第２端子との間で、当該他方の第２端子の隣に配置されており、
前記第７端子の前記第７中間部の前記一対の縁のうち、前記第２端子の前記第２中間部の隣に位置する縁が、前記他方の隣に位置し、当該第２端子の前記第２中間部の前記縁に対して略平行であり且つ前記第６端子の前記第６中間部の前記一方の縁に対して非平行であるコネクタ。
【請求項９】
請求項８記載のコネクタにおいて、
第４端子と、第５端子とを更に備えており、
前記第４端子は、前記第２方向に延びたグランド端子、又は前記第２方向に延びており且つ前記第１端子よりも低速の信号を伝送可能な低速信号端子であって、前記他方の第１端子の前記第１方向の他方側で、前記ボディに部分的に保持されており、
前記第５端子は、前記第２方向に延びたグランド端子、又は前記第２方向に延びており且つ前記第２端子よりも低速の信号を伝送可能な低速信号端子であって、前記一方の第２端子の前記第１方向の一方側で、前記ボディに部分的に保持されているコネクタ。
【請求項１０】
請求項９記載のコネクタにおいて、
前記第４端子は、第４接点部と、
前記第４接点部の前記第２方向の成分を含む方向側に位置する第４接続部と、
前記第４接点部と前記第４接続部との間に設けられた第４中間部とを有しており、
前記第４中間部は、前記第１方向の一対の縁を有しており、当該第４中間部の前記一対の縁のうち、前記他方の第１端子の前記第１中間部の隣に位置する縁が、当該第１端子の前記第１中間部の前記縁に対して略平行であり、
前記第５端子は、第５接点部と、
前記第５接点部の前記第２方向の成分を含む方向側に位置する第５接続部と、
前記第５接点部と前記第５接続部との間に設けられた第５中間部とを有しており、
前記第５中間部は、前記第１方向の一対の縁を有しており、当該第５中間部の前記一対の縁のうち、前記一方の第２端子の前記第２中間部の隣に位置する縁が、当該第２端子の前記第２中間部の前記縁に対して略平行であり、
前記一方の第１端子の前記第１中間部と前記第６端子の前記第６中間部との間の距離と、前記他方の第１端子の前記第１中間部と前記第４端子の前記第４中間部との間の距離とが略同じであり、
前記一方の第２端子の前記第２中間部と前記第５中間部との間の距離と、前記他方の第２端子の前記第２中間部と前記第７端子の前記第７中間部との間の距離とが略同じであるコネクタ。
【請求項１１】
請求項７〜１０の何れかに記載のコネクタにおいて、
前記第１端子は、前記第１接続部と前記第１中間部との間の境界部を更に有し、
前記第２端子は、前記第２接続部と前記第２中間部との間の境界部を更に有し、
前記第６端子は、前記第６接続部と前記第６中間部との間の境界部を更に有し、
前記第７端子は、前記第７接続部と前記第７中間部との間の境界部を更に有し、
前記第１端子、前記第２端子、前記第６端子及び前記第７端子の前記境界部が前記第１方向に並んでいるコネクタ。
【請求項１２】
請求項７〜１１の何れかに記載のコネクタにおいて、
前記第６端子の前記第６中間部の前記縁の間の距離のうち最も大きい距離が、前記第１端子の前記第１中間部の前記縁の間の距離及び前記第２端子の前記第２中間部の前記縁の間の距離よりも大きく、
前記第７端子の前記第７中間部の前記縁の間の距離のうち最も大きい距離が、前記第１端子の前記第１中間部の前記縁の間の距離及び前記第２端子の前記第２中間部の前記縁の間の距離よりも大きいコネクタ。
【請求項１３】
絶縁体と、
前記絶縁体上に、第１方向に間隔をあけて設けられた一対の第１線路、第２線路及び第３線路とを備えており、
前記第１線路は前記第１方向に交差する第２方向に延びており且つ互いに隣り合う差動信号線路であって、前記第１方向の一方側に位置する一方の第１線路と、前記第１方向の他方側に位置する他方の第１線路とを有しており、
当該一方及び他方の第１線路は、第１接点部と、
前記第１接点部の前記第１方向の一方及び前記第２方向の成分を含む斜め方向側に位置する第１接続部と、
前記第１接点部と前記第１接続部との間に設けられており且つ前記第１方向の一方及び前記第２方向の成分を含む斜め方向に延びた第１中間部とを有しており、
前記第１中間部は前記第１方向の一対の縁を有しており、
当該一方及び他方の第１線路の前記第１中間部の前記縁が平行であり、
前記第２線路は前記第２方向に延びた信号線路であり、
当該第２線路は、第２接点部と、
前記第２接点部の前記第１方向の一方及び前記第２方向の成分を含む斜め方向側に位置する第２接続部と、
前記第２接点部と前記第２接続部との間に設けられ、前記第１方向の一方及び前記第２方向の成分を含む斜め方向に延びており且つ前記第１中間部よりも前記第１方向の一方に傾斜している第２中間部とを有しており、
前記第２中間部は、平行であり且つ前記第１中間部の前記縁に対して非平行である前記第１方向の一対の縁を有しており、
前記第３線路は、前記第２方向に延びたグランド線路、又は前記第２方向に延びており且つ前記第１、第２線路よりも低速の信号を伝送可能な低速信号線路であって、前記一方の第１線路と前記第２線路との間に配置されており、
前記第３線路は、第３接点部と、
前記第３接点部の前記第１方向の一方及び前記第２方向の成分を含む斜め方向側に位置する第３接続部と、
前記第３接点部と前記第３接続部との間に設けられており且つ前記第１方向の一方及び前記第２方向の成分を含む斜め方向に延びた第３中間部とを有しており、
前記第３中間部は、互いに非平行である前記第１方向の一対の縁を有しており、当該第３中間部の前記一対の縁のうち、前記一方の第１線路の前記第１中間部の隣に位置する縁が、当該第１線路の前記第１中間部の前記縁に対して略平行であり、当該第３中間部の前記一対の縁のうち、前記第２線路の前記第２中間部の隣に位置する縁が、当該第２線路の前記第２中間部の前記縁に対して略平行である伝送線路構造。
【請求項１４】
絶縁体と、
前記絶縁体上に、第１方向に間隔をあけて設けられた一対の第１線路、第２線路、第６線路及び第７線路とを備えており、
前記第１線路は前記第１方向に交差する第２方向に延びており且つ互いに隣り合う差動信号線路であって、前記第１方向の一方側に位置する一方の第１線路と、前記第１方向の他方側に位置する他方の第１線路とを有しており、
当該一方及び他方の第１線路は、第１接点部と、
前記第１接点部の前記第１方向の一方及び前記第２方向の成分を含む斜め方向側に位置する第１接続部と、
前記第１接点部と前記第１接続部との間に設けられており且つ前記第１方向の一方及び前記第２方向の成分を含む斜め方向に延びた第１中間部とを有しており、
前記第１中間部は前記第１方向の一対の縁を有しており、
当該一方及び他方の第１線路の前記第１中間部の前記縁が平行であり、
前記第２線路は前記第２方向に延びた信号線路であり、
当該第２線路は、第２接点部と、
前記第２接点部の前記第１方向の一方及び前記第２方向の成分を含む斜め方向側に位置する第２接続部と、
前記第２接点部と前記第２接続部との間に設けられ、前記第１方向の一方及び前記第２方向の成分を含む斜め方向に延びており且つ前記第１中間部よりもよりも前記第１方向の一方に傾斜している第２中間部とを有しており、
前記第２中間部は、互いに平行であり且つ前記第１中間部の前記縁に対して非平行である前記第１方向の一対の縁を有しており、
前記第６線路は、前記第２方向に延びたグランド線路、又は前記第２方向に延びており且つ前記第１、第２線路よりも低速の信号を伝送可能な低速信号線路であって、前記一方の第１線路と前記第２線路との間で、当該一方の第１線路の隣に配置されており、
前記第６線路は、第６接点部と、
前記第６接点部の前記第１方向の一方及び前記第２方向の成分を含む斜め方向側に位置する第６接続部と、
前記第６接点部と前記第６接続部との間に設けられており且つ前記第１方向の一方及び前記第２方向の成分を含む斜め方向に延びた第６中間部とを有しており、
前記第６中間部は、前記第１方向の一対の縁を有しており、当該第６中間部の前記一対の縁のうち、前記一方の第１線路の前記第１中間部の隣に位置する一方の縁が、当該第１線路の前記第１中間部の前記縁に対して略平行であり、
前記第７線路は、前記第２方向に延びたグランド線路、又は前記第２方向に延びており且つ前記第１、第２線路よりも低速の信号を伝送可能な低速信号線路であって、前記一方の第１線路と前記第２線路との間で、当該第２線路の隣に配置されており、
前記第７線路は、第７接点部と、
前記第７接点部の前記第１方向の一方及び前記第２方向の成分を含む斜め方向側に位置する第７接続部と、
前記第７接点部と前記第７接続部との間に設けられており且つ前記第１方向の一方及び前記第２方向の成分を含む斜め方向に延びた第７中間部とを有しており、
前記第７中間部は、前記第１方向の一対の縁を有しており、当該第７中間部の前記一対の縁のうち、前記第２線路の前記第２中間部の隣に位置する縁が、当該第２線路の前記第２中間部の前記縁に対して略平行であり且つ前記第６線路の前記第６中間部の前記一方の縁に対して非平行である伝送線路構造。
【発明の詳細な説明】
【技術分野】
【０００１】
本発明は、コネクタ及び伝送線路構造に関する。
【背景技術】
【０００２】
下記特許文献１には従来のコネクタが記載されている。このコネクタは、ボディと、このボディに部分的に同じ高さ位置で第１方向に間隔をあけて保持された複数の端子とを有している。端子は、接点部と、接続部と、中間部とを有している。接続部は、前記接点部の斜め後方に配置されている。中間部は、接点部と接続部との間に設けられており且つ斜め後方に延びている。全ての中間部が平行であり、中間部の幅及び中間部の間隔が同一である。
【先行技術文献】
【特許文献】
【０００３】
【特許文献１】特開２００２−１１７９４５号公報
【発明の概要】
【発明が解決しようとする課題】
【０００４】
全ての中間部を平行に配置し、且つ中間部の幅及び中間部の間隔を同一とするためには、全ての端子の中間部の傾斜角を、当該端子のうちの傾斜方向側の最端の端子の中間部の傾きに合わせる必要がある。これを行うと、端子の傾斜方向の反対方向にいくにしたがって、端子の中間部の接点部に対する傾きが不必要に大きくなる。これが、端子のうちの反対方向側に位置し且つ隣り合う一対の差動信号端子によって伝送される信号の劣化に繋がる。
【０００５】
本発明は、上記事情に鑑みて創案されたものであって、その目的とするところは、信号の劣化を抑制することができるコネクタ及び伝送線路構造を提供することにある。
【課題を解決するための手段】
【０００６】
上記課題を解決するために、本発明の第１コネクタは、絶縁性を有するボディと、前記ボディに部分的に略同じ高さ位置で第１方向に間隔をあけて保持された一対の第１端子、第２端子及び第３端子とを備えている。前記第１端子は前記第１方向に交差する第２方向に延びており且つ互いに隣り合う差動信号端子であって、前記第１方向の一方側に位置する一方の第１端子と、前記第１方向の他方側に位置する他方の第１端子とを有している。当該一方及び他方の第１端子は、第１接点部と、前記第１接点部の前記第１方向の一方及び前記第２方向の成分を含む斜め方向側に位置する第１接続部と、前記第１接点部と前記第１接続部との間に設けられており且つ前記第１方向の一方及び前記第２方向の成分を含む斜め方向に延びた第１中間部とを有している。前記第１中間部は前記第１方向の一対の縁を有している。当該一方及び他方の第１端子の前記第１中間部の前記縁が平行である。前記第２端子は前記第２方向に延びた信号端子である。当該第２端子は、第２接点部と、前記第２接点部の前記第１方向の一方及び前記第２方向の成分を含む斜め方向側に位置する第２接続部と、前記第２接点部と前記第２接続部との間に設けられ、前記第１方向の一方及び前記第２方向の成分を含む斜め方向に延びており且つ前記第１中間部よりも前記第１方向の一方に傾斜している第２中間部とを有している。前記第２中間部は、互いに平行であり且つ前記第１中間部の前記縁に対して非平行である前記第１方向の一対の縁を有している。前記第３端子は、前記第２方向に延びたグランド端子、又は前記第２方向に延びており且つ前記第１、第２端子よりも低速の信号を伝送可能な低速信号端子であって、前記一方の第１端子と前記第２端子との間に配置されている。前記第３端子は、第３接点部と、前記第３接点部の前記第１方向の一方及び前記第２方向の成分を含む斜め方向側に位置する第３接続部と、前記第３接点部と前記第３接続部との間に設けられており且つ前記第１方向の一方及び前記第２方向の成分を含む斜め方向に延びた第３中間部とを有している。前記第３中間部は、互いに非平行である前記第１方向の一対の縁を有している。当該第３中間部の前記一対の縁のうち、前記一方の第１端子の前記第１中間部の隣に位置する縁が、当該第１端子の前記第１中間部の前記縁に対して略平行である。当該第３中間部の前記一対の縁のうち、前記第２端子の前記第２中間部の隣に位置する縁が、当該第２端子の前記第２中間部の前記縁に対して略平行である。
【０００７】
このような態様の第１コネクタによる場合、一対の第１端子によって伝送される信号の劣化を抑制することができる。これは、次の構成によって実現される。グランド端子又は低速信号端子である第３端子の第３中間部の一対の縁が互いに非平行である。この一対の縁のうち一方が、一方の第１端子の第１中間部の縁に隣接し且つ当該縁に対して略平行であり、他方が第２端子の第２中間部の縁に隣接し且つ当該縁に対して略平行である。よって、一対の第１端子の第１中間部の縁が平行であることを維持しつつ、第１中間部の第１接点部に対する傾きを第２中間部の第２接点部に対する傾きよりも小さくすることができる。よって、第１端子によって伝送される信号の劣化を抑制することができる。
【０００８】
前記第２端子は、互いに隣り合う一対の差動信号端子であって、前記第１方向の一方側に位置する一方の第２端子と、前記第１方向の他方側に位置する他方の第２端子とを有する構成とすることが可能である。当該一方及び他方の第２端子の前記第２中間部の前記縁が平行であり且つ前記第１中間部の前記縁に対して非平行とすることが可能である。前記第３端子は、前記一方の第１端子と前記他方の第２端子との間に配置された構成とすることが可能である。前記第３端子の前記第３中間部の前記一対の縁のうち、前記第２端子の前記第２中間部の隣に位置する縁が、前記他方の第２端子の隣に位置し、当該第２端子の前記第２中間部の前記縁に対して略平行にすることが可能である。
【０００９】
第１コネクタは、第４端子と、第５端子とを更に備えた構成とすることが可能である。前記第４端子は、前記第２方向に延びたグランド端子、又は前記第２方向に延びており且つ前記第１端子よりも低速の信号を伝送可能な低速信号端子であって、前記他方の第１端子の前記第１方向の他方側で、前記ボディに部分的に保持された構成とすることが可能である。前記第５端子は、前記第２方向に延びたグランド端子、又は前記第２方向に延びており且つ前記第２端子よりも低速の信号を伝送可能な低速信号端子であって、前記一方の第２端子の前記第１方向の一方側で、前記ボディに部分的に保持された構成とすることが可能である。
【００１０】
このような態様の第１コネクタによる場合、一対の第１端子のインピーダンス整合を図ることができ、且つ一対の第２端子のインピーダンス整合を図ることができる。これは、次の構成によって実現される。グランド端子又は低速信号端子である第３端子が、一方の第１端子の前記第１方向の一方側に配置され、グランド端子又は低速信号端子である第４端子が他方の第１端子の第１方向の他方側に配置されている。グランド端子又は低速信号端子である第５端子が、一方の第２端子の第１方向の一方側に配置され、グランド端子又は低速信号端子である第３端子が他方の第２端子の第１方向の他方側に配置されている。
【００１１】
前記第４端子は、第４接点部と、前記第４接点部の前記第２方向の成分を含む方向側に位置する第４接続部と、前記第４接点部と前記第４接続部との間に設けられた第４中間部とを有する構成とすることが可能である。前記第４中間部は、前記第１方向の一対の縁を有する構成とすることが可能である。当該第４中間部の前記一対の縁のうち、前記他方の第１端子の前記第１中間部の隣に位置する縁が、当該第１端子の前記第１中間部の前記縁に対して略平行とすることが可能である。前記第５端子は、第５接点部と、前記第５接点部の前記第２方向の成分を含む方向側に位置する第５接続部と、前記第５接点部と前記第５接続部との間に設けられた第５中間部とを有する構成とすることが可能である。前記第５中間部は、前記第１方向の一対の縁を有する構成とすることが可能である。当該第５中間部の前記一対の縁のうち、前記一方の第２端子の前記第２中間部の隣に位置する縁が、当該第２端子の前記第２中間部の前記縁に対して略平行とすることが可能である。前記一方の第１端子の前記第１中間部と前記第３端子の前記第３中間部との間の距離と、前記他方の第１端子の前記第１中間部と前記第４端子の前記第４中間部との間の距離とを略同じにすることが可能である。前記一方の第２端子の前記第２中間部と前記第５中間部との間の距離と、前記他方の第２端子の前記第２中間部と前記第３端子の前記第３中間部との間の距離とを略同じにすることが可能である。
【００１２】
このような態様の第１コネクタによる場合、一対の第１端子のインピーダンス整合を更に図ることができ、且つ一対の第２端子のインピーダンス整合を更に図ることができる。一方の第１端子の第１中間部と第３端子の第３中間部との間の距離と、他方の第１端子の第１中間部と第４端子の前記第４中間部との間の距離とが略同じであり、一方の第２端子の第２中間部と第５中間部との間の距離と、他方の第２端子の第２中間部と第３端子の第３中間部との間の距離とが略同じであるからである。
【００１３】
前記第１端子は、前記第１接続部と前記第１中間部との間の境界部を更に有した構成とすることが可能である。前記第２端子は、前記第２接続部と前記第２中間部との間の境界部を更に有した構成とすることが可能である。前記第３端子は、前記第３接続部と前記第３中間部との間の境界部を更に有した構成とすることが可能である。前記第１端子、前記第２端子及び前記第３端子の前記境界部が前記第１方向に並んだ構成とすることが可能である。
【００１４】
前記第３端子の前記第３中間部の前記縁の間の距離のうち最も大きい距離が、前記第１端子の前記第１中間部の前記縁の間の距離及び前記第２端子の前記第２中間部の前記縁の間の距離よりも大きくすることが可能である。
【００１５】
このような態様の第１コネクタによる場合、第３端子の一方の縁を、一方の第１端子の第１中間部の縁に対して略平行に、他方の縁を他方の第２端子の第２中間部の縁に対して略平行にし易くなる。
【００１６】
本発明の第２コネクタは、絶縁性を有するボディと、前記ボディに、部分的に略同じ高さ位置で第１方向に間隔をあけて保持された一対の第１端子、第２端子、第６端子及び第７端子とを備えている。前記第１端子は前記第１方向に交差する第２方向に延びており且つ互いに隣り合う差動信号端子であって、前記第１方向の一方側に位置する一方の第１端子と、前記第１方向の他方側に位置する他方の第１端子とを有している。当該一方及び他方の第１端子は、第１接点部と、前記第１接点部の前記第１方向の一方及び前記第２方向の成分を含む斜め方向側に位置する第１接続部と、前記第１接点部と前記第１接続部との間に設けられており且つ前記第１方向の一方及び前記第２方向の成分を含む斜め方向に延びた第１中間部とを有している。前記第１中間部は前記第１方向の一対の縁を有している。当該一方及び他方の第１端子の前記第１中間部の前記縁が平行である。前記第２端子は前記第２方向に延びた信号端子である。当該第２端子は、第２接点部と、前記第２接点部の前記第１方向の一方及び前記第２方向の成分を含む斜め方向側に位置する第２接続部と、前記第２接点部と前記第２接続部との間に設けられ、前記第１方向の一方及び前記第２方向の成分を含む斜め方向に延びており且つ前記第１中間部よりも前記第１方向の一方に傾斜している第２中間部とを有している。前記第２中間部は、互いに平行であり且つ前記第１中間部の前記縁に対して非平行である前記第１方向の一対の縁を有している。前記第６端子は、前記第２方向に延びたグランド端子、又は前記第２方向に延びており且つ前記第１、第２端子よりも低速の信号を伝送可能な低速信号端子であって、前記一方の第１端子と前記第２端子との間で、当該一方の第１端子の隣に配置されている。前記第６端子は、第６接点部と、前記第６接点部の前記第１方向の一方及び前記第２方向の成分を含む斜め方向側に位置する第６接続部と、前記第６接点部と前記第６接続部との間に設けられており且つ前記第１方向の一方及び前記第２方向の成分を含む斜め方向に延びた第６中間部とを有している。前記第６中間部は、前記第１方向の一対の縁を有している。当該第６中間部の前記一対の縁のうち、前記一方の第１端子の前記第１中間部の隣に位置する一方の縁が、当該第１端子の前記第１中間部の前記縁に対して略平行である。前記第７端子は、前記第２方向に延びたグランド端子、又は前記第２方向に延びており且つ前記第１、第２端子よりも低速の信号を伝送可能な低速信号端子であって、前記一方の第１端子と前記第２端子との間で、当該第２端子の隣に配置されている。前記第７端子は、第７接点部と、前記第７接点部の前記第１方向の一方及び前記第２方向の成分を含む斜め方向側に位置する第７接続部と、前記第７接点部と前記第７接続部との間に設けられており且つ前記第１方向の一方及び前記第２方向の成分を含む斜め方向に延びた第７中間部とを有している。前記第７中間部は、前記第１方向の一対の縁を有している。当該第７中間部の前記一対の縁のうち、前記第２端子の前記第２中間部の隣に位置する縁が、当該第２端子の前記第２中間部の前記縁に対して略平行であり且つ前記第６端子の前記第６中間部の前記一方の縁に対して非平行である。
【００１７】
このような態様の第２コネクタによる場合、一対の第１端子によって伝送される信号の劣化を抑制することができる。これは、次の構成によって実現される。グランド端子又は低速信号端子である第６端子の第６中間部の一対の縁のうちの一方の第１端子の第１中間部の隣に位置する一方の縁と、グランド端子又は低速信号端子である第７端子の第７中間部の一対の縁のうちの第２端子の第２中間部の隣に位置する縁とが互いに非平行である。前者の縁が、一方の第１端子の第１中間部の縁に対して略平行であり、後者の縁が、他方が第２端子の第２中間部の縁に対して略平行である。よって、一対の第１端子の第１中間部の縁が平行であることを維持しつつ、第１中間部の第１接点部に対する傾きを第２中間部の第２接点部に対する傾きよりも小さくすることができる。よって、第１端子によって伝送される信号の劣化を抑制することができる。
【００１８】
前記第２端子は、互いに隣り合う一対の差動信号端子であって、前記第１方向の一方側に位置する一方の第２端子と、前記第１方向の他方側に位置する他方の第２端子とを有する構成とすることが可能である。当該一方及び他方の第２端子の前記第２中間部の前記縁が平行であり且つ前記第１中間部の前記縁に対して非平行にすることが可能である。前記第６端子は、前記一方の第１端子と前記他方の第２端子との間で、当該一方の第１端子の隣に配置された構成とすることが可能である。前記第７端子は、前記一方の第１端子と前記他方の第２端子との間で、当該他方の第２端子の隣に配置された構成とすることが可能である。前記第７端子の前記第７中間部の前記一対の縁のうち、前記第２端子の前記第２中間部の隣に位置する縁が、前記他方の第２端子の隣に位置し、当該第２端子の前記第２中間部の前記縁に対して略平行であり且つ前記第６端子の前記第６中間部の前記一方の縁に対して非平行にすることが可能である。
【００１９】
第２コネクタは、第４端子と、第５端子とを更に備えた構成とすることが可能である。前記第４端子は、前記第２方向に延びたグランド端子、又は前記第２方向に延びており且つ前記第１端子よりも低速の信号を伝送可能な低速信号端子であって、前記他方の第１端子の前記第１方向の他方側で、前記ボディに部分的に保持された構成とすることが可能である。前記第５端子は、前記第２方向に延びたグランド端子、又は前記第２方向に延びており且つ前記第２端子よりも低速の信号を伝送可能な低速信号端子であって、前記一方の第２端子の前記第１方向の一方側で、前記ボディに部分的に保持された構成とすることが可能である。
【００２０】
このような態様の第２コネクタによる場合、一対の第１端子のインピーダンス整合を図ることができ、且つ一対の第２端子のインピーダンス整合を図ることができる。これは、次の構成によって実現される。グランド端子又は低速信号端子である第６端子が、一方の第１端子の第１方向の一方側に配置され、グランド端子又は低速信号端子である第４端子が他方の第１端子の第１方向の他方側に配置されている。グランド端子又は低速信号端子である第５端子が、一方の第２端子の第１方向の一方側に配置され、グランド端子又は低速信号端子である第７端子が他方の第２端子の第１方向の他方側に配置されている。
【００２１】
前記第４端子は、第４接点部と、前記第４接点部の前記第２方向の成分を含む方向側に位置する第４接続部と、前記第４接点部と前記第４接続部との間に設けられた第４中間部とを有する構成とすることが可能である。前記第４中間部は、前記第１方向の一対の縁を有する構成とすることが可能である。当該第４中間部の前記一対の縁のうち、前記他方の第１端子の前記第１中間部の隣に位置する縁が、当該第１端子の前記第１中間部の前記縁に対して略平行とすることが可能である。前記第５端子は、第５接点部と、前記第５接点部の前記第２方向の成分を含む方向側に位置する第５接続部と、前記第５接点部と前記第５接続部との間に設けられた第５中間部とを有する構成とすることが可能である。前記第５中間部は、前記第１方向の一対の縁を有した構成とすることが可能である。当該第５中間部の前記一対の縁のうち、前記一方の第２端子の前記第２中間部の隣に位置する縁が、当該第２端子の前記第２中間部の前記縁に対して略平行とすることが可能である。前記一方の第１端子の前記第１中間部と前記第６端子の前記第６中間部との間の距離と、前記他方の第１端子の前記第１中間部と前記第４端子の前記第４中間部との間の距離とを略同じにすることが可能である。前記一方の第２端子の前記第２中間部と前記第５中間部との間の距離と、前記他方の第２端子の前記第２中間部と前記第７端子の前記第７中間部との間の距離とを略同じにすることが可能である。
【００２２】
このような態様の第２コネクタによる場合、一対の第１端子のインピーダンス整合を更に図ることができ、且つ一対の第２端子のインピーダンス整合を更に図ることができる。一方の第１端子の第１中間部と第６端子の第６中間部との間の距離と、他方の第１端子の第１中間部と第４端子の第４中間部との間の距離とが略同じであり、一方の第２端子の第２中間部と第５中間部との間の距離と、他方の第２端子の第２中間部と第７端子の第７中間部との間の距離とが略同じであるからである。
【００２３】
前記第１端子は、前記第１接続部と前記第１中間部との間の境界部を更に有した構成とすることが可能である。前記第２端子は、前記第２接続部と前記第２中間部との間の境界部を更に有した構成とすることが可能である。前記第６端子は、前記第６接続部と前記第６中間部との間の境界部を更に有した構成とすることが可能である。前記第７端子は、前記第７接続部と前記第７中間部との間の境界部を更に有した構成とすることが可能である。前記第１端子、前記第２端子、前記第６端子及び前記第７端子の前記境界部が前記第１方向に並んだ構成とすることが可能である。
【００２４】
前記第６端子の前記第６中間部の前記縁の間の距離のうち最も大きい距離が、前記第１端子の前記第１中間部の前記縁の間の距離及び前記第２端子の前記第２中間部の前記縁の間の距離よりも大きくすることが可能である。前記第７端子の前記第７中間部の前記縁の間の距離のうち最も大きい距離が、前記第１端子の前記第１中間部の前記縁の間の距離及び前記第２端子の前記第２中間部の前記縁の間の距離よりも大きくすることが可能である。
【００２５】
このような態様の第２コネクタによる場合、第６端子の第６中間部の一対の縁のうちの一方の第１端子の第１中間部の隣に位置する一方の縁を、一方の第１端子の第１中間部の縁に対して略平行に、第７端子の第７中間部の一対の縁のうちの他方の第２端子の第２中間部の隣に位置する縁を、他方の縁を他方の第２端子の第２中間部の縁に対して略平行にし易くなる。
【００２６】
本発明の第１伝送線路構造は、絶縁体と、前記絶縁体上に、第１方向に間隔をあけて設けられた一対の第１線路、第２線路及び第３線路とを備えている。前記第１線路は前記第１方向に交差する第２方向に延びており且つ互いに隣り合う差動信号線路であって、前記第１方向の一方側に位置する一方の第１線路と、前記第１方向の他方側に位置する他方の第１線路とを有している。当該一方及び他方の第１線路は、第１接点部と、前記第１接点部の前記第１方向の一方及び前記第２方向の成分を含む斜め方向側に位置する第１接続部と、前記第１接点部と前記第１接続部との間に設けられており且つ前記第１方向の一方及び前記第２方向の成分を含む斜め方向に延びた第１中間部とを有している。前記第１中間部は前記第１方向の一対の縁を有している。当該一方及び他方の第１線路の前記第１中間部の前記縁が平行である。前記第２線路は前記第２方向に延びた信号線路である。当該第２線路は、第２接点部と、前記第２接点部の前記第１方向の一方及び前記第２方向の成分を含む斜め方向側に位置する第２接続部と、前記第２接点部と前記第２接続部との間に設けられ、前記第１方向の一方及び前記第２方向の成分を含む斜め方向に延びており且つ前記第１中間部よりも前記第１方向の一方に傾斜している第２中間部とを有している。前記第２中間部は、平行であり且つ前記第１中間部の前記縁に対して非平行である前記第１方向の一対の縁を有している。前記第３線路は、前記第２方向に延びたグランド線路、又は前記第２方向に延びており且つ前記第１、第２線路よりも低速の信号を伝送可能な低速信号線路であって、前記一方の第１線路と前記第２線路との間に配置されている。前記第３線路は、第３接点部と、前記第３接点部の前記第１方向の一方及び前記第２方向の成分を含む斜め方向側に位置する第３接続部と、前記第３接点部と前記第３接続部との間に設けられており且つ前記第１方向の一方及び前記第２方向の成分を含む斜め方向に延びた第３中間部とを有している。前記第３中間部は、互いに非平行である前記第１方向の一対の縁を有している。当該第３中間部の前記一対の縁のうち、前記一方の第１線路の前記第１中間部の隣に位置する縁が、当該第１線路の前記第１中間部の前記縁に対して略平行である。当該第３中間部の前記一対の縁のうち、前記第２線路の前記第２中間部の隣に位置する縁が、当該第２線路の前記第２中間部の前記縁に対して略平行である。
【００２７】
このような態様の第１伝送線路構造による場合、一対の第１線路によって伝送される信号の劣化を抑制することができる。これは、次の構成によって実現される。グランド線路又は低速信号線路である第３線路の第３中間部の一対の縁が互いに非平行である。この一対の縁のうち一方が、一方の第１線路の第１中間部の縁に隣接し且つ当該縁に対して略平行であり、他方が第２線路の第２中間部の縁に隣接し且つ当該縁に対して略平行である。よって、一対の第１線路の第１中間部の縁が平行であることを維持しつつ、第１中間部の第１接点部に対する傾きを第２中間部の第２接点部に対する傾きよりも小さくすることができる。よって、第１線路によって伝送される信号の劣化を抑制することができる。
【００２８】
前記第２線路は、互いに隣り合う一対の差動信号線路であって、前記第１方向の一方側に位置する一方の第２線路と、前記第１方向の他方側に位置する他方の第２線路とを有した構成とすることが可能である。当該一方及び他方の第２線路の前記第２中間部の前記縁が平行であり且つ前記第１中間部の前記縁に対して非平行にすることが可能である。前記第３線路は、前記一方の第１線路と前記他方の第２線路との間に配置された構成とすることが可能である。前記第３線路の前記第３中間部の前記一対の縁のうち、前記第２線路の前記第２中間部の隣に位置する縁が、前記他方の第２線路の隣に位置し、当該第２線路の前記第２中間部の前記縁に対して略平行にすることが可能である。
【００２９】
第１伝送線路構造は、第４線路と、第５線路とを更に備えた構成とすることが可能である。前記第４線路は、前記第２方向に延びたグランド線路、又は前記第２方向に延びており且つ前記第１線路よりも低速の信号を伝送可能な低速信号線路であって、前記絶縁体上の前記他方の第１線路の前記第１方向の他方側の部分に設けられた構成とすることが可能である。前記第５線路は、前記第２方向に延びたグランド線路、又は前記第２方向に延びており且つ前記第２線路よりも低速の信号を伝送可能な低速信号線路であって、前記絶縁体上の前記一方の第２線路の前記第１方向の一方側の部分に設けられた構成とすることが可能である。
【００３０】
このような態様の第１伝送線路構造による場合、一対の第１線路のインピーダンス整合を図ることができ、且つ一対の第２線路のインピーダンス整合を図ることができる。これは次の構成によって実現される。グランド線路又は低速信号線路である第３線路が、一方の第１線路の第１方向の一方側に配置され、グランド線路又は低速信号線路である第４線路が他方の第１線路の第１方向の他方側に配置されている。グランド線路又は低速信号線路である第５線路が、一方の第２線路の第１方向の一方側に配置され、グランド線路又は低速信号線路である第３線路が他方の第２線路の第１方向の他方側に配置されている。
【００３１】
前記第４線路は、第４接点部と、前記第４接点部の前記第２方向の成分を含む方向側に位置する第４接続部と、前記第４接点部と前記第４接続部との間に設けられた第４中間部とを有した構成とすることが可能である。前記第４中間部は、前記第１方向の一対の縁を有した構成とすることが可能である。当該第４中間部の前記一対の縁のうち、前記他方の第１線路の前記第１中間部の隣に位置する縁が、当該第１線路の前記第１中間部の前記縁に対して略平行にすることが可能である。前記第５線路は、第５接点部と、前記第５接点部の前記第２方向の成分を含む方向側に位置する第５接続部と、前記第５接点部と前記第５接続部との間に設けられた第５中間部とを有した構成とすることが可能である。前記第５中間部は、前記第１方向の一対の縁を有した構成とすることが可能である。当該第５中間部の前記一対の縁のうち、前記一方の第２線路の前記第２中間部の隣に位置する縁が、当該第２線路の前記第２中間部の前記縁に対して略平行にすることが可能である。前記一方の第１線路の前記第１中間部と前記第３線路の前記第３中間部との間の距離と、前記他方の第１線路の前記第１中間部と前記第４線路の前記第４中間部との間の距離とが略同じにすることが可能である。前記一方の第２線路の前記第２中間部と前記第５中間部との間の距離と、前記他方の第２線路の前記第２中間部と前記第３線路の前記第３中間部との間の距離とが略同じにすることが可能である。
【００３２】
このような態様の第１伝送線路構造による場合、一対の第１線路のインピーダンス整合を更に図ることができ、且つ一対の第２線路のインピーダンス整合を更に図ることができる。一方の第１線路の第１中間部と第３線路の第３中間部との間の距離と、他方の第１線路の第１中間部と第４線路の前記第４中間部との間の距離とが略同じであり、一方の第２線路の第２中間部と第５中間部との間の距離と、他方の第２線路の第２中間部と第３線路の第３中間部との間の距離とが略同じであるからである。
【００３３】
前記第１線路は、前記第１接続部と前記第１中間部との間の境界部を更に有した構成とすることが可能である。前記第２線路は、前記第２接続部と前記第２中間部との間の境界部を更に有した構成とすることが可能である。前記第３線路は、前記第３接続部と前記第３中間部との間の境界部を更に有した構成とすることが可能である。前記第１線路、前記第２線路及び前記第３線路の前記境界部が前記第１方向に並んだ構成とすることが可能である。
【００３４】
前記第３線路の前記第３中間部の前記縁の間の距離のうち最も大きい距離が、前記第１線路の前記第１中間部の前記縁の間の距離及び前記第２線路の前記第２中間部の前記縁の間の距離よりも大きくすることが可能である。
【００３５】
このような態様の第１伝送線路構造による場合、第３線路の一方の縁を、一方の第１線路の第１中間部の縁に対して略平行に、他方の縁を他方の第２線路の第２中間部の縁に対して略平行にし易くなる。
【００３６】
本発明の第２伝送線路構造は、絶縁体と、前記絶縁体上に、第１方向に間隔をあけて設けられた一対の第１線路、第２線路、第６線路及び第７線路とを備えている。前記第１線路は前記第１方向に交差する第２方向に延びており且つ互いに隣り合う差動信号線路であって、前記第１方向の一方側に位置する一方の第１線路と、前記第１方向の他方側に位置する他方の第１線路とを有している。当該一方及び他方の第１線路は、第１接点部と、前記第１接点部の前記第１方向の一方及び前記第２方向の成分を含む斜め方向側に位置する第１接続部と、前記第１接点部と前記第１接続部との間に設けられており且つ前記第１方向の一方及び前記第２方向の成分を含む斜め方向に延びた第１中間部とを有している。前記第１中間部は前記第１方向の一対の縁を有している。当該一方及び他方の第１線路の前記第１中間部の前記縁が平行である。前記第２線路は前記第２方向に延びた信号線路である。当該第２線路は、第２接点部と、前記第２接点部の前記第１方向の一方及び前記第２方向の成分を含む斜め方向側に位置する第２接続部と、前記第２接点部と前記第２接続部との間に設けられ、前記第１方向の一方及び前記第２方向の成分を含む斜め方向に延びており且つ前記第１中間部よりも前記第１方向の一方に傾斜している第２中間部とを有している。前記第２中間部は、互いに平行であり且つ前記第１中間部の前記縁に対して非平行である前記第１方向の一対の縁を有している。前記第６線路は、前記第２方向に延びたグランド線路、又は前記第２方向に延びており且つ前記第１、第２線路よりも低速の信号を伝送可能な低速信号線路であって、前記一方の第１線路と前記第２線路との間で、当該一方の第１線路の隣に配置されている。前記第６線路は、第６接点部と、前記第６接点部の前記第１方向の一方及び前記第２方向の成分を含む斜め方向側に位置する第６接続部と、前記第６接点部と前記第６接続部との間に設けられており且つ前記第１方向の一方及び前記第２方向の成分を含む斜め方向に延びた第６中間部とを有している。前記第６中間部は、前記第１方向の一対の縁を有している。当該第６中間部の前記一対の縁のうち、前記一方の第１線路の前記第１中間部の隣に位置する一方の縁が、当該第１線路の前記第１中間部の前記縁に対して略平行である。前記第７線路は、前記第２方向に延びたグランド線路、又は前記第２方向に延びており且つ前記第１、第２線路よりも低速の信号を伝送可能な低速信号線路であって、前記一方の第１線路と前記第２線路との間で、当該第２線路の隣に配置されている。前記第７線路は、第７接点部と、前記第７接点部の前記第１方向の一方及び前記第２方向の成分を含む斜め方向側に位置する第７接続部と、前記第７接点部と前記第７接続部との間に設けられており且つ前記第１方向の一方及び前記第２方向の成分を含む斜め方向に延びた第７中間部とを有している。前記第７中間部は、前記第１方向の一対の縁を有している。当該第７中間部の前記一対の縁のうち、前記第２線路の前記第２中間部の隣に位置する縁が、当該第２線路の前記第２中間部の前記縁に対して略平行であり且つ前記第６線路の前記第６中間部の前記一方の縁に対して非平行である。
【００３７】
このような態様の第２伝送線路構造による場合、一対の第１線路によって伝送される信号の劣化を抑制することができる。これは、次の構成によって実現される。グランド線路又は低速信号線路である第６線路の第６中間部の一対の縁のうちの一方の第１線路の第１中間部の隣に位置する一方の縁と、グランド線路又は低速信号線路である第７線路の第７中間部の一対の縁のうちの第２線路の第２中間部の隣に位置する縁とが互いに非平行である。前者の縁が、一方の第１線路の第１中間部の縁に対して略平行であり、後者の縁が、他方が第２線路の第２中間部の縁に対して略平行である。よって、一対の第１線路の第１中間部の縁が平行であることを維持しつつ、第１中間部の第１接点部に対する傾きを第２中間部の第２接点部に対する傾きよりも小さくすることができる。よって、第１線路によって伝送される信号の劣化を抑制することができる。
【００３８】
前記第２線路は、互いに隣り合う一対の差動信号線路であって、前記第１方向の一方側に位置する一方の第２線路と、前記第１方向の他方側に位置する他方の第２線路とを有した構成とすることが可能である。当該一方及び他方の第２線路の前記第２中間部の前記縁が平行であり且つ前記第１中間部の前記縁に対して非平行にすることが可能である。前記第６線路は、前記一方の第１線路と前記他方の第２線路との間で、当該一方の第１線路の隣に配置された構成とすることが可能である。前記第７線路は、前記一方の第１線路と前記他方の第２線路との間で、当該他方の第２線路の隣に配置された構成とすることが可能である。前記第７線路の前記第７中間部の前記一対の縁のうち、前記第２線路の前記第２中間部の隣に位置する縁が、前記他方の第２線路の隣に位置し、当該第２線路の前記第２中間部の前記縁に対して略平行であり且つ前記第６線路の前記第６中間部の前記一方の縁に対して非平行にすることが可能である。
【００３９】
第２伝送線路構造は、第４線路と、第５線路とを更に備えた構成とすることが可能である。前記第４線路は、前記第２方向に延びたグランド線路、又は前記第２方向に延びており且つ前記第１線路よりも低速の信号を伝送可能な低速信号線路であって、前記絶縁体上の前記他方の第１線路の前記第１方向の他方側の部分に設けられた構成とすることが可能である。前記第５線路は、前記第２方向に延びたグランド線路、又は前記第２方向に延びており且つ前記第２線路よりも低速の信号を伝送可能な低速信号線路であって、前記絶縁体上の前記一方の第２線路の前記第１方向の一方側の部分に設けられた構成とすることが可能である。
【００４０】
このような態様の第２伝送線路構造による場合、一対の第１線路のインピーダンス整合を図ることができ、且つ一対の第２線路のインピーダンス整合を図ることができる。これは次の構成によって実現される。グランド線路又は低速信号線路である第６線路が、一方の第１線路の第１方向の一方側に配置され、グランド線路又は低速信号線路である第４線路が他方の第１線路の第１方向の他方側に配置されている。グランド線路又は低速信号線路である第５線路が、一方の第２線路の第１方向の一方側に配置され、グランド線路又は低速信号線路である第７線路が他方の第２線路の第１方向の他方側に配置されている。
【００４１】
前記第４線路は、第４接点部と、前記第４接点部の前記第２方向の成分を含む方向側に位置する第４接続部と、前記第４接点部と前記第４接続部との間に設けられた第４中間部とを有した構成とすることが可能である。前記第４中間部は、前記第１方向の一対の縁を有した構成とすることが可能である。当該第４中間部の前記一対の縁のうち、前記他方の第１線路の前記第１中間部の隣に位置する縁が、当該第１線路の前記第１中間部の前記縁に対して略平行にすることが可能である。前記第５線路は、第５接点部と、前記第５接点部の前記第２方向の成分を含む方向側に位置する第５接続部と、前記第５接点部と前記第５接続部との間に設けられた第５中間部とを有した構成とすることが可能である。前記第５中間部は、前記第１方向の一対の縁を有した構成とすることが可能である。当該第５中間部の前記一対の縁のうち、前記一方の第２線路の前記第２中間部の隣に位置する縁が、当該第２線路の前記第２中間部の前記縁に対して略平行にすることが可能である。前記一方の第１線路の前記第１中間部と前記第６線路の前記第６中間部との間の距離と、前記他方の第１線路の前記第１中間部と前記第４線路の前記第４中間部との間の距離とが略同じにすることが可能である。前記一方の第２線路の前記第２中間部と前記第５中間部との間の距離と、前記他方の第２線路の前記第２中間部と前記第７線路の前記第７中間部との間の距離とが略同じにすることが可能である。
【００４２】
このような態様の第２伝送線路構造による場合、一対の第１線路のインピーダンス整合を更に図ることができ、且つ一対の第２線路のインピーダンス整合を更に図ることができる。一方の第１線路の第１中間部と第６線路の第６中間部との間の距離と、他方の第１線路の第１中間部と第４線路の第４中間部との間の距離とが略同じであり、一方の第２線路の第２中間部と第５中間部との間の距離と、他方の第２線路の第２中間部と第７線路の第７中間部との間の距離とが略同じであるからである。
【００４３】
前記第１線路は、前記第１接続部と前記第１中間部との間の境界部を更に有した構成とすることが可能である。前記第２線路は、前記第２接続部と前記第２中間部との間の境界部を更に有した構成とすることが可能である。前記第６線路は、前記第６接続部と前記第６中間部との間の境界部を更に有した構成とすることが可能である。前記第７線路は、前記第７接続部と前記第７中間部との間の境界部を更に有した構成とすることが可能である。前記第１線路、前記第２線路、前記第６線路及び前記第７線路の前記境界部が前記第１方向に並んだ構成とすることが可能である。
【００４４】
前記第６線路の前記第６中間部の前記縁の間の距離のうち最も大きい距離が、前記第１線路の前記第１中間部の前記縁の間の距離及び前記第２線路の前記第２中間部の前記縁の間の距離よりも大きくすることが可能である。前記第７線路の前記第７中間部の前記縁の間の距離のうち最も大きい距離が、前記第１線路の前記第１中間部の前記縁の間の距離及び前記第２線路の前記第２中間部の前記縁の間の距離よりも大きくすることが可能である。
【００４５】
このような態様の第２伝送線路構造による場合、第６線路の第６中間部の一対の縁のうちの一方の第１線路の第１中間部の隣に位置する一方の縁を、一方の第１線路の第１中間部の縁に対して略平行に、第７線路の第７中間部の一対の縁のうちの他方の第２線路の第２中間部の隣に位置する縁を、他方の縁を他方の第２線路の第２中間部の縁に対して略平行にし易くなる。
【図面の簡単な説明】
【００４６】
【図１Ａ】本発明の実施例に係るコネクタのボディ及び端子群の正面、平面及び右側面を表した斜視図である。
【図１Ｂ】前記ボディ及び前記端子群の背面、底面及び左側面を表した斜視図である。
【図２Ａ】前記ボディ及び前記端子群の図１Ａ中の２Ａ−２Ａ断面図である。
【図２Ｂ】前記ボディ及び前記端子群の図１Ａ中の２Ｂ−２Ｂ断面図である。
【図３Ａ】前記ボディ及び前記端子群の平面図である。
【図３Ｂ】前記ボディ及び前記端子群の平面図であって、前記ボディを破線で示した図である。
【図４Ａ】前記ボディ及び前記端子群の底面図である。
【図４Ｂ】前記ボディ及び前記端子群の底面図であって、前記ボディを破線で示した図である。
【図５】前記端子群の説明図である。
【図６】比較例の端子群の説明図である。
【図７Ａ】本発明の実施例に係る伝送線路構造の模式的平面図である。
【図７Ｂ】前記伝送線路構造の線路群の一部の線路の拡大平面図である。
【発明を実施するための形態】
【００４７】
〈本発明の実施例に係るコネクタＣについて〉
以下、本発明の実施例に係るコネクタＣついて図１Ａ〜図５を参照しつつ説明する。コネクタＣは、図示しないケースと、ボディ１００と、端子群２００とを備えている。なお、図２Ａ〜図５に示すＸ−Ｘ’方向は、コネクタＣの端子群２００の複数の端子の配列方向であり且つ特許請求の範囲の第１方向に相当する。Ｘ−Ｘ’方向のうちのＸ方向が第１方向の一方、Ｘ’方向が第１方向の他方に相当する。図３Ａ〜図５に示すＹ−Ｙ’方向は、コネクタＣの端子群２００の端子の長手方向であり且つ特許請求の範囲の第２方向に相当する。Ｙ−Ｙ’方向は、Ｘ−Ｘ’方向に直角に交差している。図２Ａ及び図２Ｂに示すＺ−Ｚ’方向は、コネクタＣの端子群２００の端子の厚み方向である。Ｚ−Ｚ’方向は、Ｙ−Ｙ’方向及びＸ−Ｘ’方向に直角に交差している。
【００４８】
ボディ１００は絶縁樹脂で構成されている。ボディ１００及び端子群２００は、上記ケースに収容されている。ケース内のボディ１００よりもＹ方向側の空間が、相手方コネクタが接続可能な接続孔となっている。
【００４９】
端子群２００の端子は、図１Ａ〜図５に示すように、端子Ｓ１ａ、Ｓ１ｂ、Ｓ２ａ、Ｓ２ｂ、Ｓ３ａ、Ｓ３ｂ、Ｓ４ａ、Ｓ４ｂ、Ｇ１、Ｇ２、Ｇ３ａ、Ｇ３ｂ、Ｇ４、Ｇ５を含む。端子群２００の端子は、Ｇ５、Ｓ４ｂ、Ｓ４ａ、Ｇ４、Ｓ３ｂ、Ｓ３ａ、Ｇ３ｂ、Ｇ３ａ、Ｓ２ｂ、Ｓ２ａ、Ｇ２、Ｓ１ｂ、Ｓ１ａ、Ｇ１の順で、ボディ１００内に同じ高さ位置（第１高さ位置）でＸ−Ｘ’方向に間隔をあけて部分的に保持されている。具体的には、端子群２００の端子は、前述の順で、ボディ１００内に第１高さ位置でＸ−Ｘ’方向に間隔をあけて保持されるようにインサート成形されている。なお、図５では、端子群２００の端子の後述する中間部の縁が、説明の便宜上、強調表示されている。
【００５０】
端子Ｓ１ａ、Ｓ１ｂは、図１Ａ〜図５に示されるように、Ｙ−Ｙ’方向に延びており且つ互いに隣り合う差動信号端子である。端子Ｓ１ａがＸ’方向側に位置し、端子Ｓ１ｂがＸ方向側に位置している。
【００５１】
端子Ｓ１ａは、接点部Ｓ１ａ１と、接続部Ｓ１ａ２と、中間部Ｓ１ａ３とを有している。接点部Ｓ１ａ１は、Ｙ−Ｙ’方向に延びている。接点部Ｓ１ａ１は、ボディ１００からＹ方向に突出しており且つ上記接続孔内に配置されている。接点部Ｓ１ａ１の先端部は、Ｚ’方向に湾曲している。
【００５２】
接続部Ｓ１ａ２はＹ−Ｙ’方向に延びている。接続部Ｓ１ａ２は、接点部Ｓ１ａ１のＸ方向及びＹ’方向の成分を含む斜め方向側に位置している。接続部Ｓ１ａ２は接点部Ｓ１ａ１と同じ高さ位置に位置している。接続部Ｓ１ａ２は、前部と、後部とを有している。接続部Ｓ１ａ２の前部は、接続部Ｓ１ａ２のＹ方向側の部分であって、ボディ１００内に保持されている。接続部Ｓ１ａ２の後部は、接続部Ｓ１ａ２の前部に連続するＹ’方向側の部分であって、ボディ１００からＹ’方向に突出している。
【００５３】
中間部Ｓ１ａ３は、接点部Ｓ１ａ１と接続部Ｓ１ａ２の前部との間に設けられ、接点部Ｓ１ａ１と接続部Ｓ１ａ２とを繋いでおり且つボディ１００内に保持されている。中間部Ｓ１ａ３は、接点部Ｓ１ａ１から接続部Ｓ１ａ２へＸ方向及びＹ’方向の成分を含む斜め方向に延びている（傾斜している）。中間部Ｓ１ａ３は、Ｘ−Ｘ’方向の一対の縁Ｓ１ａ４を有している。縁Ｓ１ａ４は互いに平行である。なお、図５中のＳ１ａ５は、中間部Ｓ１ａ３と接続部Ｓ１ａ２との境界部であり、Ｓ１ａ６は中間部Ｓ１ａ３と接点部Ｓ１ａ１との境界部である。
【００５４】
端子Ｓ１ｂは、接点部Ｓ１ｂ１と、接続部Ｓ１ｂ２と、中間部Ｓ１ｂ３とを有している。接点部Ｓ１ｂ１は、接点部Ｓ１ａ１と同様の構成である。接点部Ｓ１ｂ１は、接点部Ｓ１ａ１のＸ方向側に間隔をあけて配置され且つ上記接続孔内に配置されている。
【００５５】
接続部Ｓ１ｂ２は、接続部Ｓ１ａ２と同様の構成である。接続部Ｓ１ｂ２は接続部Ｓ１ａ２のＸ方向側に間隔をあけて配置されている。接続部Ｓ１ｂ２は、接点部Ｓ１ｂ１のＸ方向及びＹ’方向の成分を含む斜め方向側に位置している。接続部Ｓ１ｂ２は接点部Ｓ１ｂ１と同じ高さ位置に位置している。
【００５６】
中間部Ｓ１ｂ３は、接点部Ｓ１ｂ１と接続部Ｓ１ｂ２の前部との間に設けられ、接点部Ｓ１ｂ１と接続部Ｓ１ｂ２とを繋いでおり且つボディ１００内に保持されている。中間部Ｓ１ｂ３は、接点部Ｓ１ｂ１から接続部Ｓ１ｂ２へＸ方向及びＹ’方向の成分を含む斜め方向に延びている（傾斜している）。中間部Ｓ１ｂ３は中間部Ｓ１ａ３のＸ方向側に間隔をあけて配置されている。中間部Ｓ１ｂ３の接点部Ｓ１ｂ１に対する傾斜角は、中間部Ｓ１ａ３の接点部Ｓ１ａ１に対する傾斜角と同じである。中間部Ｓ１ｂ３は、Ｘ−Ｘ’方向の一対の縁Ｓ１ｂ４を有している。縁Ｓ１ｂ４は互いに平行であり且つ縁Ｓ１ａ４に対しても平行である。なお、図５中のＳ１ｂ５は中間部Ｓ１ｂ３と接続部Ｓ１ｂ２との境界部であり、Ｓ１ｂ６は中間部Ｓ１ｂ３と接点部Ｓ１ｂ１との境界部である。
【００５７】
端子Ｓ２ａ、Ｓ２ｂは、図１Ａ〜図５に示されるように、Ｙ−Ｙ’方向に延びており且つ端子Ｓ１ａ、Ｓ１ｂよりもＸ方向側で互いに隣り合う差動信号端子である。端子Ｓ２ａがＸ’方向側に位置し、端子Ｓ２ｂがＸ方向側に位置している。
【００５８】
端子Ｓ２ａは、接点部Ｓ２ａ１と、接続部Ｓ２ａ２と、中間部Ｓ２ａ３とを有している。接点部Ｓ２ａ１は、接点部Ｓ１ａ１と同様の構成である。接続部Ｓ２ａ２は、接続部Ｓ１ａ２と同様の構成であって、接点部Ｓ２ａ１のＸ方向及びＹ’方向の成分を含む斜め方向側に位置している。接続部Ｓ２ａ２は接点部Ｓ２ａ１と同じ高さ位置に位置している。
【００５９】
中間部Ｓ２ａ３は、接点部Ｓ２ａ１と接続部Ｓ２ａ２の前部との間に設けられ、接点部Ｓ２ａ１と接続部Ｓ２ａ２とを繋いでおり且つボディ１００内に保持されている。中間部Ｓ２ａ３は、接点部Ｓ２ａ１から接続部Ｓ２ａ２へＸ方向及びＹ’方向の成分を含む斜め方向に延びている（傾斜している）。中間部Ｓ２ａ３は、中間部Ｓ１ａ３、Ｓ１ｂ３よりもＸ方向に傾斜している。換言すると、中間部Ｓ２ａ３の接点部Ｓ２ａ１に対する傾斜角は、中間部Ｓ１ａ３、Ｓ１ｂ３の接点部Ｓ１ａ１、Ｓ１ｂ１に対する傾斜角よりも大きい。中間部Ｓ２ａ３は、Ｘ−Ｘ’方向の一対の縁Ｓ２ａ４を有している。縁Ｓ２ａ４は互いに平行であり且つ縁Ｓ１ａ４、Ｓ１ｂ４に対して非平行である。なお、図５中のＳ２ａ５は、中間部Ｓ２ａ３と接続部Ｓ２ａ２との境界部であり、Ｓ２ａ６は中間部Ｓ２ａ３と接点部Ｓ２ａ１との境界部である。
【００６０】
端子Ｓ２ｂは、接点部Ｓ２ｂ１と、接続部Ｓ２ｂ２と、中間部Ｓ２ｂ３とを有している。接点部Ｓ２ｂ１は、接点部Ｓ１ｂ１と同様の構成であって、接点部Ｓ２ａ１のＸ方向側に間隔をあけて配置されている。接続部Ｓ２ｂ２は、接続部Ｓ１ｂ２と同様の構成である。接続部Ｓ２ｂ２は、接点部Ｓ２ｂ１のＸ方向及びＹ’方向の成分を含む斜め方向側に位置するように、接続部Ｓ２ａ２のＸ方向側に間隔をあけて配置されている。
【００６１】
中間部Ｓ２ｂ３は、接点部Ｓ２ｂ１と接続部Ｓ２ｂ２の前部との間に設けられ、接点部Ｓ２ｂ１と接続部Ｓ２ｂ２とを繋いでおり且つボディ１００内に保持されている。中間部Ｓ２ｂ３は、接点部Ｓ２ｂ１から接続部Ｓ２ｂ２へＸ方向及びＹ’方向の成分を含む斜め方向に延びている（傾斜している）。中間部Ｓ２ｂ３は中間部Ｓ２ａ３のＸ方向側に間隔をあけて配置されている。中間部Ｓ２ｂ３の接点部Ｓ２ｂ１に対する傾斜角は、中間部Ｓ２ａ３の接点部Ｓ２ａ１に対する傾斜角と同じである。中間部Ｓ２ｂ３は、Ｘ−Ｘ’方向の一対の縁Ｓ２ｂ４を有している。縁Ｓ２ｂ４は互いに平行であり且つ縁Ｓ２ａ４に対しても平行である。なお、図５中のＳ２ｂ５は中間部Ｓ２ｂ３と接続部Ｓ２ｂ２との境界部であり、Ｓ２ｂ６は中間部Ｓ２ｂ３と接点部Ｓ２ｂ１との境界部である。
【００６２】
端子Ｇ２は、図１Ａ〜図５に示されるように、Ｙ−Ｙ’方向に延びており且つ端子Ｓ１ｂと端子Ｓ２ａとの間に配置されたグランド端子又は低速信号端子である。この低速信号端子は、端子Ｓ１ａ、Ｓ１ｂ、Ｓ２ａ、Ｓ２ｂよりも低速の信号を伝送可能な端子である。例えば、低速信号端子として、端子Ｓ１ａ、Ｓ１ｂ、Ｓ２ａ、Ｓ２ｂに伝送される信号の周波数の１／１０以下又は１／１００以下の周波数の信号を伝送可能なシングルエンド信号端子、電源端子又は機能端子等を用いることが可能である。
【００６３】
端子Ｇ２は、接点部Ｇ２１と、接続部Ｇ２２と、中間部Ｇ２３とを有している。接点部Ｇ２１は、Ｙ−Ｙ’方向に延び、ボディ１００からＹ方向に突出しており且つ上記接続孔内に配置されている。接点部Ｇ２１の先端部は、Ｚ’方向に湾曲している。接点部Ｇ２１は、端子Ｓ１ｂの接点部Ｓ１ｂ１と端子Ｓ２ａの接点部Ｓ２ａ１との間に、各々と間隔をあけて配置されている。
【００６４】
接続部Ｇ２２はＹ−Ｙ’方向に延びている。接続部Ｇ２２は、端子Ｓ１ｂの接続部Ｓ１ｂ２と端子Ｓ２ａの接続部Ｓ２ａ２との間に、各々と間隔をあけて配置されている。接続部Ｇ２２は、接点部Ｇ２１のＸ方向及びＹ’方向の成分を含む斜め方向側に位置している。接続部Ｇ２２は、接点部Ｇ２１と同じ高さ位置に位置している。接続部Ｇ２２は、前部と、後部とを有している。接続部Ｇ２２の前部は、接続部Ｇ２２のＹ方向側の部分であって、ボディ１００内に保持されている。接続部Ｇ２２の後部は、接続部Ｇ２２の前部に連続するＹ’方向側の部分であって、ボディ１００からＹ’方向に突出している。
【００６５】
中間部Ｇ２３は、接点部Ｇ２１と接続部Ｇ２２の前部との間に設けられ、接点部Ｇ２１と接続部Ｇ２２とを繋いでおり且つボディ１００内に保持されている。中間部Ｇ２３は、接点部Ｇ２１から接続部Ｇ２２へＸ方向及びＹ’方向の成分を含む斜め方向に延びている（傾斜している）。中間部Ｇ２３は、端子Ｓ１ｂの中間部Ｓ１ｂ３と端子Ｓ２ａの中間部Ｓ２ａ３との間に、各々と間隔をあけて配置されている。中間部Ｇ２３は、Ｘ−Ｘ’方向の一対の縁Ｇ２４を有している。縁Ｇ２４は互いに非平行である。中間部Ｇ２３は、一対の縁Ｇ２４間のＸ−Ｘ’方向の距離（幅寸法）が接点部Ｇ２１から接続部Ｇ２２にかけて漸次拡大する形状となっている。前記距離のうち最も小さい距離が、端子Ｓ１ａの中間部Ｓ１ａ３の一対の縁Ｓ１ａ４間のＸ−Ｘ’方向の距離（幅寸法）、端子Ｓ１ｂの中間部Ｓ１ｂ３の一対の縁Ｓ１ｂ４間のＸ−Ｘ’方向の距離（幅寸法）、端子Ｓ２ａの中間部Ｓ２ａ３の一対の縁Ｓ２ａ４間のＸ−Ｘ’方向の距離（幅寸法）、及び端子Ｓ２ｂの中間部Ｓ２ｂ３の一対の縁Ｓ２ｂ４間のＸ−Ｘ’方向の距離（幅寸法）よりも大きい。これにより、縁Ｇ２４を次のように配置するための中間部Ｇ２３の幅寸法が確保されている。
【００６６】
縁Ｇ２４のうちＸ’方向側の縁Ｇ２４は、端子Ｓ１ｂの中間部Ｓ１ｂ３のＸ方向側の縁Ｓ１ｂ４の隣に位置し、縁Ｓ１ｂ４に対して略平行である。具体的には、Ｘ’方向側の縁Ｇ２４の縁Ｓ１ｂ４に対する角度が０°（平行）又はＸ’方向側の縁Ｇ２４の縁Ｓ１ｂ４に対する角度が±５°であると良い。縁Ｇ２４のうちＸ方向側の縁Ｇ２４は、端子Ｓ２ａの中間部Ｓ２ａ３のＸ’方向側の縁Ｓ２ａ４の隣に位置し、縁Ｓ２ａ４に対して略平行である。具体的には、Ｘ方向側の縁Ｇ２４の縁Ｓ２ａ４に対する角度が０°（平行）又はＸ方向側の縁Ｇ２４の縁Ｓ２ａ４に対する角度が±５°であると良い。Ｘ’方向側の縁Ｇ２４とＸ方向側の縁Ｓ１ｂ４との間の距離は、Ｘ方向側の縁Ｇ２４とＸ’方向側の縁Ｓ２ａ４との間の距離と略同じに設定されている。なお、図５中のＧ２５は中間部Ｇ２３と接続部Ｇ２２との境界部であり、Ｇ２６は中間部Ｇ２３と接点部Ｇ２１との境界部である。
【００６７】
端子Ｇ１は、図１Ａ〜図５に示されるように、Ｙ−Ｙ’方向に延びており且つ端子Ｓ１ａのＸ’方向側に配置されたグランド端子又は低速信号端子である。この低速信号端子は、端子Ｓ１ａ、Ｓ１ｂよりも低速の信号を伝送可能な端子である。例えば、低速信号端子として、端子Ｓ１ａ、Ｓ１ｂに伝送される信号の周波数の１／１０以下又は１／１００以下の周波数の信号を伝送可能なシングルエンド信号端子、電源端子又は機能端子等を用いることが可能である。
【００６８】
端子Ｇ１は、接点部Ｇ１１と、接続部Ｇ１２と、中間部Ｇ１３とを有している。接点部Ｇ１１は、接点部Ｇ２１と同様の構成である。接点部Ｇ１１は、端子Ｓ１ａの接点部Ｓ１ａ１のＸ’方向側に間隔をあけて配置されている。
【００６９】
接続部Ｇ１２はＹ−Ｙ’方向に延びている。接続部Ｇ１２は、接点部Ｇ１１のＹ’方向（後方）に位置し且つ端子Ｓ１ａの接続部Ｓ１ａ２のＸ’方向側に間隔をあけて配置されている。接続部Ｇ１２は、前部と、後部とを有している。接続部Ｇ１２の前部は、接続部Ｇ１２のＹ方向側の部分であって、ボディ１００内に保持されている。接続部Ｇ１２の後部は、接続部Ｓ１ａ２の前部に連続するＹ’方向側の部分であって、ボディ１００からＹ’方向に突出している。
【００７０】
中間部Ｇ１３は、接点部Ｇ１１と接続部Ｇ１２の前部との間に設けられ、接点部Ｇ１１と接続部Ｇ１２とを繋いでおり且つボディ１００内に保持されている。中間部Ｇ１３は接点部Ｇ１１から接続部Ｇ１２へＹ’方向に延びている。中間部Ｇ１３は、端子Ｓ１ａの中間部Ｓ１ａ３のＸ’方向側に間隔をあけて配置されている。中間部Ｇ１３は、Ｘ−Ｘ’方向の一対の縁Ｇ１４を有している。縁Ｇ１４は互いに非平行であるが、平行であっても良い。本実施例では、縁Ｇ１４は互いに非平行であるので、中間部Ｇ１３は、一対の縁Ｇ１４間のＸ−Ｘ’方向の距離（幅寸法）が接点部Ｇ１１から接続部Ｇ１２にかけて漸次拡大する形状となっている。前記距離のうち最も小さい距離が、端子Ｓ１ａの中間部Ｓ１ａ３の一対の縁Ｓ１ａ４間のＸ−Ｘ’方向の距離（幅寸法）、及び端子Ｓ１ｂの中間部Ｓ１ｂ３の一対の縁Ｓ１ｂ４間のＸ−Ｘ’方向の距離（幅寸法）よりも大きい。これにより、縁Ｇ１ａ４を次のように配置するための中間部Ｇ１ａ３の幅寸法が確保されている。
【００７１】
縁Ｇ１４のうちＸ方向側の縁Ｇ１４は、端子Ｓ１ａの中間部Ｓ１ａ３のＸ’方向側の縁Ｓ１ａ４の隣に位置し、縁Ｓ１ａ４に対して略平行である。具体的には、Ｘ方向側の縁Ｇ１４の縁Ｓ１ａ４に対する角度が０°（平行）又はＸ方向側の縁Ｇ１４の縁Ｓ１ａ４に対する角度が±５°であると良い。縁Ｇ１４のうちＸ’方向側の縁Ｇ１４は、Ｙ−Ｙ’方向に対して略平行である。Ｘ方向側の縁Ｇ１４とＸ’方向側の縁Ｓ１ａ４との間の距離は、Ｘ’方向側の縁Ｇ２４とＸ方向側の縁Ｓ１ｂ４との間の距離と略同じに設定されている。なお、図５中のＧ２５は中間部Ｇ２３と接続部Ｇ２２との境界部であり、Ｇ２６は中間部Ｇ２３と接点部Ｇ２１との境界部である。
【００７２】
端子Ｓ３ａ、Ｓ３ｂは、図１Ａ〜図５に示されるように、Ｙ−Ｙ’方向に延びており且つ端子Ｓ２ａ、Ｓ２ｂよりもＸ方向側で互いに隣り合う差動信号端子である。端子Ｓ３ａがＸ’方向側に位置し、端子Ｓ３ｂがＸ方向側に位置している。
【００７３】
端子Ｓ３ａは、接点部Ｓ３ａ１と、接続部Ｓ３ａ２と、中間部Ｓ３ａ３とを有している。接点部Ｓ３ａ１は、接点部Ｓ１ａ１と同様の構成である。接続部Ｓ３ａ２は、接続部Ｓ１ａ２と同様の構成であって、接点部Ｓ３ａ１のＸ方向及びＹ’方向の成分を含む斜め方向側に位置している。接続部Ｓ３ａ２は接点部Ｓ３ａ１と同じ高さ位置に位置している。
【００７４】
中間部Ｓ３ａ３は、接点部Ｓ３ａ１と接続部Ｓ３ａ２の前部との間に設けられ、接点部Ｓ３ａ１と接続部Ｓ３ａ２とを繋いでおり且つボディ１００内に保持されている。中間部Ｓ３ａ３は、接点部Ｓ３ａ１から接続部Ｓ３ａ２へＸ方向及びＹ’方向の成分を含む斜め方向に延びている（傾斜している）。中間部Ｓ３ａ３は、中間部Ｓ２ａ３、Ｓ２ｂ３よりもＸ方向に傾斜している。換言すると、中間部Ｓ３ａ３の接点部Ｓ３ａ１に対する傾斜角は、中間部Ｓ２ａ３、Ｓ２ｂ３の接点部Ｓ２ａ１、Ｓ２ｂ１に対する傾斜角よりも大きい。中間部Ｓ３ａ３は、Ｘ−Ｘ’方向の一対の縁Ｓ３ａ４を有している。縁Ｓ３ａ４は互いに平行であり且つ縁Ｓ２ａ４、Ｓ２ｂ４に対して非平行である。なお、図５中のＳ３ａ５は、中間部Ｓ３ａ３と接続部Ｓ３ａ２との境界部であり、Ｓ３ａ６は中間部Ｓ３ａ３と接点部Ｓ３ａ１との境界部である。
【００７５】
端子Ｓ３ｂは、接点部Ｓ３ｂ１と、接続部Ｓ３ｂ２と、中間部Ｓ３ｂ３とを有している。接点部Ｓ３ｂ１は、接点部Ｓ１ｂ１と同様の構成であって、接点部Ｓ３ａ１のＸ方向側に間隔をあけて配置されている。接続部Ｓ３ｂ２は、接続部Ｓ３ａ２と同様の構成である。接続部Ｓ３ｂ２は、接点部Ｓ３ａ１のＸ方向及びＹ’方向の成分を含む斜め方向側に位置している。接続部Ｓ３ｂ２は接点部Ｓ３ｂ１と同じ高さ位置に位置している。
【００７６】
中間部Ｓ３ｂ３は、接点部Ｓ３ｂ１と接続部Ｓ３ｂ２の前部との間に設けられ、接点部Ｓ３ｂ１と接続部Ｓ３ｂ２とを繋いでおり且つボディ１００内に保持されている。中間部Ｓ３ｂ３は、接点部Ｓ３ｂ１から接続部Ｓ３ｂ２へＸ方向及びＹ’方向の成分を含む斜め方向に延びている（傾斜している）。中間部Ｓ３ｂ３は中間部Ｓ３ａ３のＸ方向側に間隔をあけて配置されている。中間部Ｓ３ｂ３の接点部Ｓ３ｂ１に対する傾斜角は、中間部Ｓ３ａ３の接点部Ｓ３ａ１に対する傾斜角と同じである。中間部Ｓ３ｂ３は、Ｘ−Ｘ’方向の一対の縁Ｓ３ｂ４を有している。縁Ｓ３ｂ４は互いに平行であり且つ縁Ｓ３ａ４に対しても平行である。なお、図５中のＳ３ｂ５は中間部Ｓ３ｂ３と接続部Ｓ３ｂ２との境界部であり、Ｓ３ｂ６は中間部Ｓ３ｂ３と接点部Ｓ３ｂ１との境界部である。
【００７７】
端子Ｇ３ａ、Ｇ３ｂは、図１Ａ〜図５に示されるように、Ｙ−Ｙ’方向に延びており且つ端子Ｓ２ｂと端子Ｓ３ａとの間で互いに隣り合うように配置されたグランド端子又は低速信号端子である。この低速信号端子は、端子Ｓ２ａ、Ｓ２ｂ、Ｓ３ａ、Ｓ３ｂよりも低速の信号を伝送可能な端子である。例えば、低速信号端子として、端子Ｓ２ａ、Ｓ２ｂ、Ｓ３ａ、Ｓ３ｂに伝送される信号の周波数の１／１０以下又は１／１００以下の周波数の信号を伝送可能なシングルエンド信号端子、電源端子又は機能端子等を用いることが可能である。端子Ｇ３ａは、端子Ｓ２ｂの隣に配置されている。端子Ｇ３ｂは、端子Ｓ３ａの隣に配置されている。
【００７８】
端子Ｇ３ａは、接点部Ｇ３ａ１と、接続部Ｇ３ａ２と、中間部Ｇ３ａ３とを有している。接点部Ｇ３ａ１は、接点部Ｇ２１と同様の構成である。接点部Ｇ３ａ１は、端子Ｓ２ｂの接点部Ｓ２ｂ１のＸ方向側に間隔をあけて配置されている。
【００７９】
接続部Ｇ３ａ２はＹ−Ｙ’方向に延びている。接続部Ｇ３ａ２は、端子Ｓ２ｂの接続部Ｓ２ｂ２のＸ方向側に間隔をあけて配置されている。接続部Ｇ３ａ２は、接点部Ｇ３ａ１のＸ方向及びＹ’方向の成分を含む斜め方向側に位置している。接続部Ｇ３ａ２は、接点部Ｇ３ａ１と同じ高さ位置に位置している。接続部Ｇ３ａ２は、前部と、後部とを有している。接続部Ｇ３ａ２の前部は、接続部Ｇ３ａ２のＹ方向側の部分であって、ボディ１００内に保持されている。接続部Ｇ３ａ２の後部は、接続部Ｇ３ａ２の前部に連続するＹ’方向側の部分であって、ボディ１００からＹ’方向に突出している。
【００８０】
中間部Ｇ３ａ３は、接点部Ｇ３ａ１と接続部Ｇ３ａ２の前部との間に設けられ、接点部Ｇ３ａ１と接続部Ｇ３ａ２とを繋いでおり且つボディ１００内に保持されている。中間部Ｇ３ａ３は、接点部Ｇ３ａ１から接続部Ｇ３ａ２へＸ方向及びＹ’方向の成分を含む斜め方向に延びている（傾斜している）。中間部Ｇ３ａ３は、端子Ｓ２ｂの中間部Ｓ２ｂ３のＸ方向側に間隔をあけて配置されている。中間部Ｇ３ａ３は、Ｘ−Ｘ’方向の一対の縁Ｇ３ａ４を有している。縁Ｇ３ａ４は互いに非平行であるが、平行であっても良い。縁Ｇ３ａ４のうちＸ’方向側の縁Ｇ３ａ４は、端子Ｓ２ｂの中間部Ｓ２ｂ３のＸ方向側の縁Ｓ２ｂ４の隣に位置し、縁Ｓ２ｂ４に対して略平行である。具体的には、Ｘ’方向側の縁Ｇ３ａ４の縁Ｓ２ｂ４に対する角度が０°（平行）又はＸ’方向側の縁Ｇ３ａ４の縁Ｓ２ｂ４に対する角度が±５°であると良い。なお、図５中のＧ３ａ５は中間部Ｇ３ａ３と接続部Ｇ３ａ２との境界部であり、Ｇ３ａ６は中間部Ｇ３ａ３と接点部Ｇ３ａ１との境界部である。
【００８１】
端子Ｇ３ｂは、接点部Ｇ３ｂ１と、接続部Ｇ３ｂ２と、中間部Ｇ３ｂ３とを有している。接点部Ｇ３ｂ１は、接点部Ｇ３ａ１と同様の構成であって、端子Ｇ３ａの接点部Ｇ３ａ１と端子Ｓ３ａの接点部Ｓ３ａ１との間に、各々と間隔をあけて配置されている。
【００８２】
接続部Ｇ３ｂ２は、接続部Ｇ３ａ２と同様の構成であって、端子Ｇ３ａの接続部Ｇ３ａ２と端子Ｓ３ａの接続部Ｓ３ａ２との間に、各々と間隔をあけて配置されている。接続部Ｇ３ｂ２は、接点部Ｇ３ｂ１のＸ方向及びＹ’方向の成分を含む斜め方向側に位置している。接続部Ｇ３ｂ２は、接点部Ｇ３ｂ１と同じ高さ位置に位置している。
【００８３】
中間部Ｇ３ｂ３は、接点部Ｇ３ｂ１と接続部Ｇ３ｂ２の前部との間に設けられ、接点部Ｇ３ｂ１と接続部Ｇ３ｂ２とを繋いでおり且つボディ１００内に保持されている。中間部Ｇ３ｂ３は、接点部Ｇ３ｂ１から接続部Ｇ３ｂ２へＸ方向及びＹ’方向の成分を含む斜め方向に延びている（傾斜している）。中間部Ｇ３ｂ３は、端子Ｇ３ａの中間部Ｇ３ａ３と端子Ｓ３ａの中間部Ｓ３ａ３との間に、各々と間隔をあけて配置されている。中間部Ｇ３ｂ３は、Ｘ−Ｘ’方向の一対の縁Ｇ３ｂ４を有している。縁Ｇ３ｂ４は互いに非平行であるが、平行であっても良い。縁Ｇ３ｂ４のうちＸ方向側の縁Ｇ３ｂ４は、端子Ｓ３ａの中間部Ｓ３ａ３の縁Ｓ３ａ４のＸ’方向側の隣に位置し、縁Ｓ３ａ４に対して略平行である。具体的には、Ｘ方向側の縁Ｇ３ｂ４の縁Ｓ３ａ４に対する角度が０°（平行）又はＸ方向側の縁Ｇ３ｂ４の縁Ｓ３ａ４に対する角度が±５°であると良い。縁Ｇ３ｂ４のうちＸ’方向側の縁Ｇ３ｂ４は、縁Ｇ３ａ４のうちＸ方向側の縁Ｇ３ａ４に対して略平行である。Ｘ方向側の縁Ｇ３ｂ４とＸ’方向側の縁Ｓ３ａ４との間の距離が、Ｘ’方向側の縁Ｇ３ａ４とＸ方向側の縁Ｓ２ｂ４との間の距離と略同じに設定されている。なお、図５中のＧ３ａ５は中間部Ｇ３ａ３と接続部Ｇ３ａ２との境界部であり、Ｇ３ａ６は中間部Ｇ３ａ３と接点部Ｇ４ａ１との境界部である。
【００８４】
端子Ｓ４ａ、Ｓ４ｂは、Ｙ−Ｙ’方向に延びており且つ端子Ｓ３ａ、Ｓ３ｂよりもＸ方向側で互いに隣り合う差動信号端子である。端子Ｓ４ａがＸ’方向側に位置し、端子Ｓ４ｂがＸ方向側に位置している。
【００８５】
端子Ｓ４ａは、接点部Ｓ４ａ１と、接続部Ｓ４ａ２と、中間部Ｓ４ａ３とを有している。接点部Ｓ４ａ１は、接点部Ｓ１ａ１と同様の構成である。接続部Ｓ４ａ２は、接続部Ｓ１ａ２と同様の構成であって、接点部Ｓ４ａ１のＸ方向及びＹ’方向の成分を含む方向（斜め後方に）に配置されている。接続部Ｓ４ａ２は、接点部Ｓ４ａ１と同じ高さ位置に位置している。
【００８６】
中間部Ｓ４ａ３は、接点部Ｓ４ａ１と接続部Ｓ４ａ２の前部との間に設けられ、接点部Ｓ４ａ１と接続部Ｓ４ａ２とを繋いでおり且つボディ１００内に保持されている。中間部Ｓ４ａ３は、接点部Ｓ４ａ１から接続部Ｓ４ａ２へＸ方向及びＹ’方向の成分を含む斜め方向に延びている（傾斜している）。中間部Ｓ４ａ３は、中間部Ｓ３ａ３、Ｓ３ｂ３よりもＸ方向に傾斜している。換言すると、中間部Ｓ４ａ３の接点部Ｓ４ａ１に対する傾斜角は、中間部Ｓ３ａ３、Ｓ３ｂ３の接点部Ｓ３ａ１、Ｓ３ｂ１に対する傾斜角よりも大きい。中間部Ｓ４ａ３は、Ｘ−Ｘ’方向の一対の縁Ｓ４ａ４を有している。縁Ｓ４ａ４は互いに平行であり且つ縁Ｓ３ａ４、Ｓ３ｂ４に対して非平行である。なお、図５中のＳ４ａ５は、中間部Ｓ４ａ３と接続部Ｓ４ａ２との境界部であり、Ｓ４ａ６は中間部Ｓ４ａ３と接点部Ｓ４ａ１との境界部である。
【００８７】
端子Ｓ４ｂは、接点部Ｓ４ｂ１と、接続部Ｓ４ｂ２と、中間部Ｓ４ｂ３とを有している。接点部Ｓ４ｂ１は、接点部Ｓ１ｂ１と同様の構成であって、接点部Ｓ４ａ１のＸ方向側に間隔をあけて配置されている。接続部Ｓ４ｂ２は、接続部Ｓ１ｂ２と同様の構成である。接続部Ｓ４ｂ２は、接点部Ｓ４ｂ１のＸ方向及びＹ’方向の成分を含む斜め方向側に位置するように、接続部Ｓ４ａ２のＸ方向側に間隔をあけて配置されている。接続部Ｓ４ｂ２は、接点部Ｓ４ｂ１と同じ高さ位置に位置している。
【００８８】
中間部Ｓ４ｂ３は、接点部Ｓ４ｂ１と接続部Ｓ４ｂ２の前部との間に設けられ、接点部Ｓ４ｂ１と接続部Ｓ４ｂ２とを繋いでおり且つボディ１００内に保持されている。中間部Ｓ４ｂ３は、接点部Ｓ４ｂ１から接続部Ｓ４ｂ２へＸ方向及びＹ’方向の成分を含む斜め方向に延びている（傾斜している）。中間部Ｓ４ｂ３は中間部Ｓ４ａ３のＸ方向側に間隔をあけて配置されている。中間部Ｓ４ｂ３の接点部Ｓ４ｂ１に対する傾斜角は、中間部Ｓ４ａ３の接点部Ｓ４ａ１に対する傾斜角と同じである。中間部Ｓ４ｂ３は、Ｘ−Ｘ’方向の一対の縁Ｓ４ｂ４を有している。縁Ｓ４ｂ４は互いに平行であり且つ縁Ｓ４ａ４に対しても平行である。なお、図５中のＳ４ｂ５は中間部Ｓ４ｂ３と接続部Ｓ４ｂ２との境界部であり、Ｓ４ｂ６は中間部Ｓ４ｂ３と接点部Ｓ４ｂ１との境界部である。
【００８９】
端子Ｇ４はＹ−Ｙ’方向に延びており且つ端子Ｓ３ｂと端子Ｓ４ａとの間に配置されたグランド端子又は低速信号端子である。この低速信号端子は、端子Ｓ３ａ、Ｓ３ｂ、Ｓ４ａ、Ｓ４ｂよりも低速の信号を伝送可能な端子である。例えば、低速信号端子として、端子Ｓ３ａ、Ｓ３ｂ、Ｓ４ａ、Ｓ４ｂに伝送される信号の周波数の１／１０以下又は１／１００以下の周波数の信号を伝送可能なシングルエンド信号端子、電源端子又は機能端子等を用いることが可能である。
【００９０】
端子Ｇ４は、接点部Ｇ４１と、接続部Ｇ４２と、中間部Ｇ４３とを有している。接点部Ｇ４１は、接点部Ｇ２１と同様の構成であって、端子Ｓ３ｂの接点部Ｓ３ｂ１と端子Ｓ４ａの接点部Ｓ４ａ１との間に、各々と間隔をあけて配置されている。接続部Ｇ４２は、接続部Ｇ２２と同様の構成である。接続部Ｇ４２は、端子Ｓ３ｂの接続部Ｓ３ｂ２と端子Ｓ４ａの接続部Ｓ４ａ２との間に、各々と間隔をあけて配置されている。接続部Ｇ４２は、接点部Ｇ４１のＸ方向及びＹ’方向の成分を含む斜め方向側に位置している。接続部Ｇ４２は、接点部Ｇ４１と同じ高さ位置に位置している。
【００９１】
中間部Ｇ４３は、接点部Ｇ４１と接続部Ｇ４２の前部との間に設けられ、接点部Ｇ４１と接続部Ｇ４２とを繋いでおり且つボディ１００内に保持されている。中間部Ｇ４３は、接点部Ｇ４１から接続部Ｇ４２へＸ方向及びＹ’方向の成分を含む斜め方向に延びている（傾斜している）。中間部Ｇ４３は、端子Ｓ３ｂの中間部Ｓ３ｂ３と端子Ｓ４ａの中間部Ｓ４ａ３との間に、各々と間隔をあけて配置されている。中間部Ｇ４３は、Ｘ−Ｘ’方向の一対の縁Ｇ４４を有している。縁Ｇ４４は互いに非平行である。中間部Ｇ４３は、一対の縁Ｇ４４間のＸ−Ｘ’方向の距離（幅寸法）が接点部Ｇ４１から接続部Ｇ４２にかけて漸次拡大する形状となっている。前記距離のうち最も小さい距離が、端子Ｓ３ａの中間部Ｓ３ａ３の一対の縁Ｓ３ａ４間のＸ−Ｘ’方向の距離（幅寸法）、端子Ｓ３ｂの中間部Ｓ３ｂ３の一対の縁Ｓ３ｂ４間のＸ−Ｘ’方向の距離（幅寸法）、端子Ｓ４ａの中間部Ｓ４ａ３の一対の縁Ｓ４ａ４間のＸ−Ｘ’方向の距離（幅寸法）、及び端子Ｓ４ｂの中間部Ｓ４ｂ３の一対の縁Ｓ４ｂ４間のＸ−Ｘ’方向の距離（幅寸法）よりも大きい。これにより、縁Ｇ４４を次のように配置するための中間部Ｇ４３の幅寸法が確保されている。
【００９２】
縁Ｇ４４のうちＸ’方向側の縁Ｇ４４は、端子Ｓ３ｂの中間部Ｓ３ｂ３のＸ方向側の縁Ｓ３ｂ４の隣に位置し、縁Ｓ３ｂ４に対して略平行である。具体的には、Ｘ’方向側の縁Ｇ４４の縁Ｓ３ｂ４に対する角度が０°（平行）又はＸ’方向側の縁Ｇ４４の縁Ｓ３ｂ４に対する角度が±５°であると良い。縁Ｇ４４のうちＸ方向側の縁Ｇ４４は、端子Ｓ４ａの中間部Ｓ４ａ３のＸ’方向側の縁Ｓ４ａ４の隣に位置し、縁Ｓ４ａ４に対して略平行である。具体的には、Ｘ方向側の縁Ｇ４４の縁Ｓ４ａ４に対する角度が０°（平行）又はＸ方向側の縁Ｇ４４の縁ＳＳ４ａ４に対する角度が±５°であると良い。Ｘ’方向側の縁Ｇ４４とＸ方向側の縁Ｓ３ｂ４との間の距離は、Ｘ方向側の縁Ｇ３ｂ４とＸ’方向側の縁Ｓ３ａ４との間の距離、及びＸ方向側の縁Ｇ４４とＸ’方向側の縁Ｓ４ａ４との間の距離と略同じに設定されている。なお、図５中のＧ４５は中間部Ｇ４３と接続部Ｇ４２との境界部であり、Ｇ４６は中間部Ｇ４３と接点部Ｇ４１との境界部である。
【００９３】
端子Ｇ５は、Ｙ−Ｙ’方向に延びており且つ端子Ｓ４ｂのＸ方向側に配置されたグランド端子又は低速信号端子である。この低速信号端子は、端子Ｓ４ａ、Ｓ４ｂよりも低速の信号を伝送可能な端子である。例えば、低速信号端子として、端子Ｓ４ａ、Ｓ４ｂに伝送される信号の周波数の１／１０以下又は１／１００以下の周波数の信号を伝送可能なシングルエンド信号端子、電源端子又は機能端子等を用いることが可能である。
【００９４】
端子Ｇ５は、接点部Ｇ５１と、接続部Ｇ５２と、中間部Ｇ５３とを有している。接点部Ｇ５１は、接点部Ｇ２１と同様の構成であって、端子Ｓ４ｂの接点部Ｓ４ｂ１のＸ方向側に間隔をあけて配置されている。接続部Ｇ５２は、接続部Ｇ２２と同様の構成であって、端子Ｓ４ｂの接続部Ｓ４ｂ２のＸ方向側に間隔をあけて配置されている。接続部Ｇ５２は、接点部Ｇ５１のＸ方向及びＹ’方向の成分を含む斜め方向側に位置している。接続部Ｇ５２は、接点部Ｇ５１と同じ高さ位置に位置している。
【００９５】
中間部Ｇ５３は、接点部Ｇ５１と接続部Ｇ５２の前部との間に設けられ、接点部Ｇ５１と接続部Ｇ５２とを繋いでおり且つボディ１００内に保持されている。中間部Ｇ５３は、接点部Ｇ５１から接続部Ｇ５２へＸ方向及びＹ’方向の成分を含む斜め方向に延びている（傾斜している）。中間部Ｇ５３は、端子Ｓ４ｂの中間部Ｓ４ｂ３のＸ方向側に間隔をあけて配置されている。中間部Ｇ５３は、Ｘ−Ｘ’方向の一対の縁Ｇ５４を有している。縁Ｇ５４は互いに非平行であるが、平行であっても良い。中間部Ｇ５３は、一対の縁Ｇ５４間のＸ−Ｘ’方向の距離（幅寸法）が接点部Ｇ５１から接続部Ｇ５２にかけて漸次拡大する形状となっている。前記距離のうち最も小さい距離が、端子Ｓ４ａの中間部Ｓ４ａ３の一対の縁Ｓ４ａ４間のＸ−Ｘ’方向の距離（幅寸法）、及び端子Ｓ４ｂの中間部Ｓ４ｂ３の一対の縁Ｓ４ｂ４間のＸ−Ｘ’方向の距離（幅寸法）よりも大きい。これにより、縁Ｇ５４を次のように配置するための中間部Ｇ５３の幅寸法が確保されている。
【００９６】
縁Ｇ５４のうちＸ’方向側の縁Ｇ５４は、端子Ｓ４ｂの中間部Ｓ４ｂ３のＸ方向側の縁Ｓ４ｂ４の隣に位置し、縁Ｓ４ｂ４に対して略平行である。具体的には、Ｘ’方向側の縁Ｇ５４の縁Ｓ４ｂ４に対する角度が０°（平行）又はＸ’方向側の縁Ｇ５４の縁Ｓ４ｂ４に対する角度が±５°であると良い。Ｘ方向側の縁Ｇ５４とＸ’方向側の縁Ｓ４ｂ４との間の距離は、Ｘ方向側の縁Ｇ４４とＸ’方向側の縁Ｓ４ａ４との間の距離と略同じに設定されている。なお、図５中のＧ５５は中間部Ｇ５３と接続部Ｇ５２との境界部であり、Ｇ５６は中間部Ｇ５３と接点部Ｇ５１との境界部である。
【００９７】
上記接点部Ｇ１１、Ｓ１ａ１、Ｓ１ｂ１、Ｇ２１、Ｓ２ａ１、Ｓ２ｂ１、Ｇ３ａ１、Ｇ３ｂ１、Ｓ３ａ１、Ｓ３ｂ１、Ｇ４１、Ｓ４ａ１、Ｓ４ｂ１、Ｇ５１は、上記収容孔内で同じ高さ位置でＸ−Ｘ’方向に一列に並んでいる。接続部Ｇ１２、Ｓ１ａ２、Ｓ１ｂ２、Ｇ２２、Ｓ２ａ２、Ｓ２ｂ２、Ｇ３ａ２、Ｇ３ｂ２、Ｓ３ａ２、Ｓ３ｂ２、Ｇ４２、Ｓ４ａ２、Ｓ４ｂ２、Ｇ５２は、同じ高さ位置でＸ−Ｘ’方向に一列に並んでいる。中間部Ｇ１３、Ｓ１ａ３、Ｓ１ｂ３、Ｇ２３、Ｓ２ａ３、Ｓ２ｂ３、Ｇ３ａ３、Ｇ３ｂ３、Ｓ３ａ３、Ｓ３ｂ３、Ｇ４３、Ｓ４ａ３、Ｓ４ｂ３、Ｇ５３は、ボディ１００内でＸ−Ｘ’方向に一列に並んでいる。境界部Ｇ１５、Ｓ１ａ５、Ｓ１ｂ５、Ｇ２５、Ｓ２ａ５、Ｓ２ｂ５、Ｇ３ａ５、Ｇ３ｂ５、Ｓ３ａ５、Ｓ３ｂ５、Ｇ４５、Ｓ４ａ５、Ｓ４ｂ５、Ｇ５５は、Ｘ−Ｘ’方向に一列で並んでいる。境界部Ｇ１６、Ｓ１ａ６、Ｓ１ｂ６、Ｇ２６、Ｓ２ａ６、Ｓ２ｂ６、Ｇ３ａ６、Ｇ３ｂ６、Ｓ３ａ６、Ｓ３ｂ６、Ｇ４６、Ｓ４ａ６、Ｓ４ｂ６、Ｇ５６も、Ｘ−Ｘ’方向に一列で並んでいる。
【００９８】
上記したコネクタＣの上記接続孔内に相手方コネクタが挿入されると、コネクタＣの上記端子の接点部に相手方コネクタの接点部が接触する。このようにして相手方コネクタがコネクタＣに接続される。コネクタＣの端子の接続部は、基板や別のコネクタの端子に接触する。これにより、コネクタＣが基板や別のコネクタに接続される。
【００９９】
ここで、上記コネクタＣの端子と比較するための比較例のコネクタの端子１０ａ、１０ｂ、２０ａ、２０ｂ、３０ａ、３０ｂについて説明する。端子１０ａ、１０ｂ、２０ａ、２０ｂ、３０ａ、３０ｂは、図６に示すように、この順で間隔をあけて配置されている。端子１０ａ、１０ｂは、端子の並び方向（図６の左右方向）に直交する直交方向（図６の上下方向）に延びており且つ互いに隣り合う差動信号端子である。端子１０ａ、１０ｂは、接点部１１ａ、１１ｂと、接続部１２ａ、１２ｂと、中間部１３ａ、１３ｂとを有している。接続部１２ａ、１２ｂは、接点部１１ａ、１１ｂの斜め後方に配置されている。中間部１３ａ、１３ｂは、接点部１１ａ、１１ｂと接続部１２ａ、１２ｂとの間に設けられており且つ斜め後方に延びている（傾斜している）。
【０１００】
端子３０ａ、３０ｂも、前記直交方向に延びており且つ互いに隣り合う差動信号端子である。端子３０ａ、３０ｂは、接点部３１ａ、３１ｂと、接続部３２ａ、３２ｂと、中間部３３ａ、３３ｂとを有している。接続部３２ａ、３２ｂは、接点部３１ａ、３１ｂの斜め後方に配置されている。中間部３３ａ、３３ｂは、接点部３１ａ、３１ｂと接続部３２ａ、３２ｂとの間に設けられており且つ斜め後方に延びている（傾斜している）。
【０１０１】
端子２０ａ、２０ｂは、端子１０ｂと端子２０ａとの間に配置されたグランド端子である。端子２０ａ、２０ｂは、接点部２１ａ、２１ｂと、接続部２２ａ、２２ｂと、中間部２３ａ、２３ｂとを有している。接続部２２ａ、２２ｂは、接点部２１ａ、２１ｂの斜め後方に配置されている。中間部２３ａ、２３ｂは、接点部２１ａ、２１ｂと接続部２２ａ、２２ｂとの間に設けられており且つ斜め後方に延びている（傾斜している）。
【０１０２】
中間部１３ａ、１３ｂ、２３ａ、２３ｂ、３３ａ、３３ｂの接点部１１ａ、１１ｂ、２１ａ、２１ｂ、３１ａ、３１ｂに対する傾斜角は、中間部３３ｂの傾斜角に合わせた傾斜角となっている。よって、中間部１３ａ、１３ｂ、２３ａ、２３ｂ、３３ａ、３３ｂは平行である。中間部１３ａ、１３ｂ、２３ａ、２３ｂ、３３ａ、３３ｂの幅は同一である。中間部１３ａ、１３ｂの間の距離、中間部１３ｂ、２３ａの間の距離、中間部２３ａ、２３ｂの間の距離、中間部２３ｂ、３３ａの間の距離、及び中間部３３ａ、３３ｂの間の距離が同一である。このため、中間部１３ａ、１３ｂの接点部１１ａ、１１ｂに対する傾斜角が不必要に大きくなる。また、中間部１３ａの長さ寸法が中間部１３ｂの長さ寸法よりも短くなり、接続部１２ａの長さ寸法が、接続部１２ｂの長さ寸法よりも長くなる。すなわち、端子１０ａ、１０ｂの形状が大きく相違する。このため、端子１０ａ、１０ｂにより伝送される信号にノイズが生じたり、信号のロスが生じたりし、信号の劣化が生じる。
【０１０３】
一方、上記コネクタＣの端子のうちの端子Ｇ１、Ｓ１ａ、Ｓ１ｂ、Ｇ２、Ｓ２ａ、Ｓ２ｂ、Ｇ３ａに着目すると、端子Ｇ２のＸ’方向側の縁Ｇ２４とＸ方向側の縁Ｇ２４が非平行であり、Ｘ’方向側の縁Ｇ２４が、端子Ｓ１ｂの中間部Ｓ１ｂ３の縁Ｓ１ｂ４に対して略平行であり、Ｘ方向側の縁Ｇ２４が、端子Ｓ２ａの中間部Ｓ２ａ３の縁Ｓ２ａ４に対して略平行である。このため、端子Ｓ１ａの中間部Ｓ１ａ３の縁Ｓ１ａ４及び端子Ｓ１ｂの中間部Ｓ１ｂ３の縁Ｓ１ｂ４が平行であり、且つ端子Ｓ２ａの中間部Ｓ２ａ３の縁Ｓ２ａ４及び端子Ｓ２ｂの中間部Ｓ２ｂ３の縁Ｓ２ｂ４が平行であることを維持しつつ、中間部Ｓ１ａ３、Ｓ１ｂ３の接点部Ｓ１ａ１、Ｓ１ｂ１に対する傾斜角を中間部Ｓ２ａ３、Ｓ２ｂ３の接点部Ｓ２ａ１、Ｓ２ｂ１に対する傾斜角よりも小さくすることができる。中間部Ｓ１ａ３、Ｓ１ｂ３の傾斜角が中間部Ｓ２ａ３、Ｓ２ｂ３の傾斜角に依存しないので、中間部Ｓ１ａ３、Ｓ１ｂ３の長さの相違が抑制され、当該長さの相違から生じる接続部Ｓ１ａ２、Ｓ１ｂ２の長さ寸法の相違が抑制される。すなわち、端子Ｓ１ａ、Ｓ１ｂの形状の相違が低減される。よって、端子Ｓ１ａ、Ｓ１ｂにより伝送される信号のノイズ及び信号のロスを低減することができ、信号の劣化を低減することができる。更に、端子Ｓ１ａのＸ’方向の隣に端子Ｇ１が配置されており、端子Ｓ１ｂのＸ方向の隣に端子Ｇ２が配置されている。端子Ｓ１ａのＸ’方向側の縁Ｓ１ａ４と端子Ｇ１のＸ方向側の縁Ｇ１４とが略平行である。端子Ｓ１ｂのＸ方向側の縁Ｓ１ｂ４と端子Ｇ２のＸ’方向側の縁Ｇ２４とが略平行である。端子Ｓ１ａのＸ’方向側の縁Ｓ１ａ４と端子Ｇ１のＸ方向側の縁Ｇ１４との間の距離と、端子Ｓ１ｂのＸ方向側の縁Ｓ１ｂ４と端子Ｇ２のＸ’方向側の縁Ｇ２４との間の距離とは、略同じである。よって、端子Ｓ１ａと端子Ｓ１ｂとのインピーダンス整合を図ることができる。端子Ｓ２ａのＸ’方向の隣に端子Ｇ２が配置されており、端子Ｓ２ｂのＸ方向の隣に端子Ｇ３ａが配置されている。端子Ｓ２ａのＸ’方向側の縁Ｓ２ａ４と端子Ｇ２のＸ方向側の縁Ｇ２４とが略平行である。端子Ｓ２ｂのＸ方向側の縁Ｓ２ｂ４と端子Ｇ３ａのＸ’方向側の縁Ｇ３ａ４とが略平行である。端子Ｓ２ａのＸ’方向側の縁Ｓ２ａ４と端子Ｇ２のＸ方向側の縁Ｇ２４との間の距離と、端子Ｓ２ｂのＸ方向側の縁Ｓ２ｂ４と端子Ｇ３ａのＸ’方向側の縁Ｇ３ａ４との間の距離とは、略同じである。よって、端子Ｓ２ａと端子Ｓ２ｂとのインピーダンス整合を図ることができる。なお、ここでは（本段落では）、端子Ｓ１ｂ、Ｓ１ａが特許請求の範囲の一方の第１端子、他方の第１端子に相当する。接点部Ｓ１ｂ１、Ｓ１ａ１が特許請求の範囲の第１接点部に相当する。接続部Ｓ１ｂ２、Ｓ１ａ２が特許請求の範囲の第１接続部に相当する。中間部Ｓ１ｂ３、Ｓ１ａ３が特許請求の範囲の第１中間部に相当する。端子Ｓ２ｂ、Ｓ２ａが特許請求の範囲の一方の第２端子、他方の第２端子に相当する。接点部Ｓ２ｂ１、Ｓ２ａ１が特許請求の範囲の第２接点部に相当する。接続部Ｓ２ｂ２、Ｓ２ａ２が特許請求の範囲の第２接続部に相当する。中間部Ｓ２ｂ３、Ｓ２ａ３が特許請求の範囲の第２中間部に相当する。端子Ｇ２が特許請求の範囲の第３端子に相当する。接点部Ｇ２１が特許請求の範囲の第３接点部に相当する。接続部Ｇ２２が特許請求の範囲の第３接続部に相当する。中間部Ｇ２３が特許請求の範囲の第３中間部に相当する。端子Ｇ１が特許請求の範囲の第４端子に相当する。接点部Ｇ１１が特許請求の範囲の第４接点部に相当する。接続部Ｇ１２が特許請求の範囲の第４接続部に相当する。中間部Ｇ１３が特許請求の範囲の第４中間部に相当する。端子Ｇ３ａが特許請求の範囲の第５端子に相当する。接点部Ｇ３ａ１が特許請求の範囲の第５接点部に相当する。接続部Ｇ３ａ２が特許請求の範囲の第５接続部に相当する。中間部Ｇ３ａ３が特許請求の範囲の第５中間部に相当する。
【０１０４】
上記コネクタＣの端子のうちの端子Ｇ２、Ｓ２ａ、Ｓ２ｂ、Ｇ３ａ、Ｇ３ｂ、Ｓ３ａ、Ｓ３ｂ、Ｇ４に着目すると、端子Ｇ３ａのＸ’方向側の縁Ｇ３ａ４と端子Ｇ３ｂのＸ方向側の縁Ｇ３ｂ４とが非平行であり、Ｘ’方向側の縁Ｇ３ａ４が、端子Ｓ２ｂの中間部Ｓ２ｂ３の縁Ｓ２ｂ４に対して略平行であり、Ｘ方向側の縁Ｇ３ｂ４が、端子Ｓ３ａの中間部Ｓ３ａ３の縁Ｓ３ａ４に対して略平行である。このため、端子Ｓ２ａの中間部Ｓ２ａ３の縁Ｓ２ａ４及び端子Ｓ２ｂの中間部Ｓ２ｂ３の縁Ｓ２ｂ４が平行であり、且つ端子Ｓ３ａの中間部Ｓ３ａ３の縁Ｓ３ａ４及び端子Ｓ３ｂの中間部Ｓ３ｂ３の縁Ｓ３ｂ４が平行であることを維持しつつ、中間部Ｓ２ａ３、Ｓ２ｂ３の接点部Ｓ２ａ１、Ｓ２ｂ１に対する傾斜角を中間部Ｓ３ａ３、Ｓ３ｂ３の接点部Ｓ３ａ１、Ｓ３ｂ１に対する傾斜角よりも小さくすることができる。中間部Ｓ２ａ３、Ｓ２ｂ３の傾斜角が中間部Ｓ３ａ３、Ｓ３ｂ３の傾斜角に依存しないので、中間部Ｓ２ａ３、Ｓ２ｂ３の長さの相違が抑制され、当該長さの相違から生じる接続部Ｓ２ａ２、Ｓ２ｂ２の長さ寸法の相違が抑制される。すなわち、端子Ｓ２ａ、Ｓ２ｂの形状の相違が低減される。よって、端子Ｓ２ａ、Ｓ２ｂにより伝送される信号のノイズ及び信号のロスを低減することができ、信号の劣化を低減することができる。更に、端子Ｓ２ａのＸ’方向の隣に端子Ｇ２が配置されており、端子Ｓ２ｂのＸ方向の隣に端子Ｇ３ａが配置されている。端子Ｓ２ａのＸ’方向側の縁Ｓ２ａ４と端子Ｇ２のＸ方向側の縁Ｇ２４とが略平行である。端子Ｓ２ｂのＸ方向側の縁Ｓ２ｂ４と端子Ｇ３ａのＸ’方向側の縁Ｇ３ａ４とが略平行である。端子Ｓ２ａのＸ’方向側の縁Ｓ２ａ４と端子Ｇ２のＸ方向側の縁Ｇ２４との間の距離と、端子Ｓ２ｂのＸ方向側の縁Ｓ２ｂ４と端子Ｇ３ａのＸ’方向側の縁Ｇ３ａ４との間の距離とは、略同じである。よって、端子Ｓ２ａと端子Ｓ２ｂとのインピーダンス整合を図ることができる。端子Ｓ３ａのＸ’方向の隣に端子Ｇ３ｂが配置されており、端子Ｓ３ｂのＸ方向の隣に端子Ｇ４が配置されている。端子Ｓ３ａのＸ’方向側の縁Ｓ３ａ４と端子Ｇ３ｂのＸ方向側の縁Ｇ３ｂ４とが略平行である。端子Ｓ３ｂのＸ方向側の縁Ｓ３ｂ４と端子Ｇ４のＸ’方向側の縁Ｇ４４とが略平行である。端子Ｓ３ａのＸ’方向側の縁Ｓ３ａ４と端子Ｇ３ｂのＸ方向側の縁Ｇ３ｂ４との間の距離と、端子Ｓ３ｂのＸ方向側の縁Ｓ３ｂ４と端子Ｇ４のＸ’方向側の縁Ｇ４４との間の距離とは、略同じである。よって、端子Ｓ３ａと端子Ｓ３ｂとのインピーダンス整合を図ることができる。なお、ここでは（本段落）、端子Ｓ２ｂ、Ｓ２ａが特許請求の範囲の一方の第１端子、他方の第１端子に相当する。接点部Ｓ２ｂ１、Ｓ２ａ１が特許請求の範囲の第１接点部に相当する。接続部Ｓ２ｂ２、Ｓ２ａ２が特許請求の範囲の第１接続部に相当する。中間部Ｓ２ｂ３、Ｓ２ａ３が特許請求の範囲の第１中間部に相当する。端子Ｓ３ｂ、Ｓ３ａが特許請求の範囲の一方の第２端子、他方の第２端子に相当する。接点部Ｓ３ｂ１、Ｓ３ａ１が特許請求の範囲の第２接点部に相当する。接続部Ｓ３ｂ２、Ｓ３ａ２が特許請求の範囲の第２接続部に相当する。中間部Ｓ３ｂ３、Ｓ３ａ３が特許請求の範囲の第２中間部に相当する。端子Ｇ３ａが特許請求の範囲の第６端子に相当する。接点部Ｇ３ａ１が特許請求の範囲の第６接点部に相当する。接続部Ｇ３ａ２が特許請求の範囲の第６接続部に相当する。中間部Ｇ３ａ３が特許請求の範囲の第６中間部に相当する。中間部Ｇ３ａ３のＸ’方向側の縁Ｇ３ａ４が特許請求の範囲の第６中間部の一方の縁に相当する。端子Ｇ３ｂが特許請求の範囲の第７端子に相当する。接点部Ｇ３ｂ１が特許請求の範囲の第７接点部に相当する。接続部Ｇ３ｂ２が特許請求の範囲の第７接続部に相当する。中間部Ｇ３ｂ３が特許請求の範囲の第７中間部に相当する。端子Ｇ２が特許請求の範囲の第４端子に相当する。接点部Ｇ２１が特許請求の範囲の第４接点部に相当する。接続部Ｇ２２が特許請求の範囲の第４接続部に相当する。中間部Ｇ２３が特許請求の範囲の第４中間部に相当する。端子Ｇ４が特許請求の範囲の第５端子に相当する。接点部Ｇ４１が特許請求の範囲の第５接点部に相当する。接続部Ｇ４２が特許請求の範囲の第５接続部に相当する。中間部Ｇ４３が特許請求の範囲の第５中間部に相当する。
【０１０５】
上記コネクタＣの端子のうちの端子Ｇ３ｂ、Ｓ３ａ、Ｓ３ｂ、Ｇ４、Ｓ４ａ、Ｓ４ｂ、Ｇ５に着目すると、端子Ｇ４のＸ’方向側の縁Ｇ４４とＸ方向側の縁Ｇ４４が非平行であり、Ｘ’方向側の縁Ｇ４４が、端子Ｓ３ｂの中間部Ｓ３ｂ３の縁Ｓ３ｂ４に対して略平行であり、Ｘ方向側の縁Ｇ４４が、端子Ｓ４ａの中間部Ｓ４ａ３の縁Ｓ４ａ４に対して略平行である。このため、端子Ｓ３ａの中間部Ｓ３ａ３の縁Ｓ３ａ４及び端子Ｓ３ｂの中間部Ｓ３ｂ３の縁Ｓ３ｂ４が平行であり、且つ端子Ｓ４ａの中間部Ｓ４ａ３の縁Ｓ４ａ４及び端子Ｓ４ｂの中間部Ｓ４ｂ３の縁Ｓ４ｂ４が平行であることを維持しつつ、中間部Ｓ３ａ３、Ｓ３ｂ３の接点部Ｓ３ａ１、Ｓ３ｂ１に対する傾斜角を中間部Ｓ４ａ３、Ｓ４ｂ３の接点部Ｓ４ａ１、Ｓ４ｂ１に対する傾斜角よりも小さくすることができる。中間部Ｓ３ａ３、Ｓ３ｂ３の傾斜角が中間部Ｓ４ａ３、Ｓ４ｂ３の傾斜角に依存しないので、中間部Ｓ３ａ３、Ｓ３ｂ３の長さの相違が抑制され、当該長さの相違から生じる接続部Ｓ３ａ２、Ｓ３ｂ２の長さ寸法の相違が抑制される。すなわち、端子Ｓ３ａ、Ｓ３ｂの形状の相違が低減される。よって、端子Ｓ３ａ、Ｓ３ｂにより伝送される信号のノイズ及び信号のロスを低減することができ、信号の劣化を低減することができる。更に、端子Ｓ３ａのＸ’方向の隣に端子Ｇ３ｂが配置されており、端子Ｓ３ｂのＸ方向の隣に端子Ｇ４が配置されている。端子Ｓ３ａのＸ’方向側の縁Ｓ３ａ４と端子Ｇ３ｂのＸ方向側の縁Ｇ３ｂ４とが略平行である。端子Ｓ３ｂのＸ方向側の縁Ｓ３ｂ４と端子Ｇ４のＸ’方向側の縁Ｇ４４とが略平行である。端子Ｓ３ａのＸ’方向側の縁Ｓ３ａ４と端子Ｇ３ｂのＸ方向側の縁Ｇ３ｂ４との間の距離と、端子Ｓ３ｂのＸ方向側の縁Ｓ３ｂ４と端子Ｇ４のＸ’方向側の縁Ｇ４４との間の距離とは、略同じである。よって、端子Ｓ３ａと端子Ｓ３ｂとのインピーダンス整合を図ることができる。端子Ｓ４ａのＸ’方向の隣に端子Ｇ４が配置されており、端子Ｓ４ｂのＸ方向の隣に端子Ｇ５が配置されている。端子Ｓ４ａのＸ’方向側の縁Ｓ４ａ４と端子Ｇ４のＸ方向側の縁Ｇ４４とが略平行である。端子Ｓ４ｂのＸ方向側の縁Ｓ４ｂ４と端子Ｇ６のＸ’方向側の縁Ｇ５４とが略平行である。端子Ｓ４ａのＸ’方向側の縁Ｓ４ａ４と端子Ｇ４のＸ方向側の縁Ｇ４４との間の距離と、端子Ｓ４ｂのＸ方向側の縁Ｓ４ｂ４と端子Ｇ６のＸ’方向側の縁Ｇ５４との間の距離とは、略同じである。よって、端子Ｓ４ａと端子Ｓ４ｂとのインピーダンス整合を図ることができる。なお、ここでは（本段落）、端子Ｓ３ｂ、Ｓ３ａが特許請求の範囲の一方の第１端子、他方の第１端子に相当する。接点部Ｓ３ｂ１、Ｓ３ａ１が特許請求の範囲の第１接点部に相当する。接続部Ｓ３ｂ２、Ｓ３ａ２が特許請求の範囲の第１接続部に相当する。中間部Ｓ３ｂ３、Ｓ３ａ３が特許請求の範囲の第１中間部に相当する。端子Ｓ４ｂ、Ｓ４ａが特許請求の範囲の一方の第２端子、他方の第２端子に相当する。接点部Ｓ４ｂ１、Ｓ４ａ１が特許請求の範囲の第２接点部に相当する。接続部Ｓ４ｂ２、Ｓ４ａ２が特許請求の範囲の第２接続部に相当する。中間部Ｓ４ｂ３、Ｓ４ａ３が特許請求の範囲の第２中間部に相当する。端子Ｇ４が特許請求の範囲の第３端子に相当する。接点部Ｇ４１が特許請求の範囲の第３接点部に相当する。接続部Ｇ４２が特許請求の範囲の第３接続部に相当する。中間部Ｇ４３が特許請求の範囲の第３中間部に相当する。端子Ｇ３ｂが特許請求の範囲の第４端子に相当する。接点部Ｇ３ｂ１が特許請求の範囲の第４接点部に相当する。接続部Ｇ３ｂ２が特許請求の範囲の第４接続部に相当する。中間部Ｇ３ｂ３が特許請求の範囲の第４中間部に相当する。端子Ｇ５が特許請求の範囲の第５端子に相当する。接点部Ｇ５１が特許請求の範囲の第５接点部に相当する。接続部Ｇ５２が特許請求の範囲の第５接続部に相当する。中間部Ｇ５３が特許請求の範囲の第５中間部に相当する。
【０１０６】
〈本発明の実施例に係る伝送線路構造Ｓについて〉
以下、本発明の実施例に係る伝送線路構造Ｓついて図７Ａ及び図７Ｂを参照しつつ説明する。構造Ｓは、絶縁体３００と、線路群４００とを備えている。なお、図７Ａ及び図７Ｂに示すＸ−Ｘ’方向は、構造Ｓの線路群の線路の配列方向であり且つ特許請求の範囲の第１方向に相当する。Ｘ−Ｘ’方向のうちのＸ方向が第１方向の一方、Ｘ’方向が第１方向の他方に相当する。Ｙ−Ｙ’方向は、構造Ｓの線路群の線路の長手方向であり且つ特許請求の範囲の第２方向に相当する。Ｙ−Ｙ’方向は、Ｘ−Ｘ’方向に直角に交差している。
【０１０７】
絶縁体３００は基板である。線路群４００は、線路Ｓ１ａ’、Ｓ１ｂ’、Ｓ２ａ’、Ｓ２ｂ’、Ｓ３ａ’、Ｓ３ｂ’、Ｓ４ａ’、Ｓ４ｂ’、Ｇ１’、Ｇ２’、Ｇ３ａ’、Ｇ３ｂ’、Ｇ４’を含んでいる。線路群４００の線路は、Ｇ４’、Ｓ３ｂ’、Ｓ３ａ’、Ｇ３ｂ’、Ｇ３ａ’、Ｓ２ｂ’、Ｓ２ａ’、Ｇ２’、Ｓ１ｂ’、Ｓ１ａ’、Ｇ１’の順で、絶縁体３００上にＸ−Ｘ’方向に間隔をあけて形成されている。
【０１０８】
線路Ｓ１ａ’、Ｓ１ｂ’は、Ｙ−Ｙ’方向に延びており且つ互いに隣り合う差動信号線路である。線路Ｓ１ａ’、Ｓ１ｂ’は、絶縁体３００上に形成された導体である以外、端子Ｓ１ａ、Ｓ１ｂと略同じ構成である。線路Ｓ１ａ’は、接点部Ｓ１ａ１’と、接続部Ｓ１ａ２’と、中間部Ｓ１ａ３’とを有している。中間部Ｓ１ａ３’は、Ｘ−Ｘ’方向の一対の縁Ｓ１ａ４’を有している。図７Ｂ中のＳ１ａ５’は中間部Ｓ１ａ３’と接続部Ｓ１ａ２’との境界部であり、Ｓ１ａ６’は中間部Ｓ１ａ３’と接点部Ｓ１ａ１’との境界部である。線路Ｓ１ｂ’は、接点部Ｓ１ｂ１’と、接続部Ｓ１ｂ２’と、中間部Ｓ１ｂ３’とを有している。中間部Ｓ１ｂ３’は、Ｘ−Ｘ’方向の一対の縁Ｓ１ｂ４’を有している。図７Ｂ中のＳ１ｂ５’は中間部Ｓ１ｂ３’と接続部Ｓ１ｂ２’との境界部であり、Ｓ１ｂ６’は中間部Ｓ１ｂ３’と接点部Ｓ１ｂ１’との境界部である。
【０１０９】
線路Ｓ２ａ’、Ｓ２ｂ’は、Ｙ−Ｙ’方向に延びており且つ互いに隣り合う差動信号線路である。線路Ｓ２ａ’、Ｓ２ｂ’は、絶縁体３００上に形成された導体である以外、端子Ｓ２ａ、Ｓ２ｂと略同じ構成である。線路Ｓ２ａ’は、接点部Ｓ２ａ１’と、接続部Ｓ２ａ２’と、中間部Ｓ２ａ３’とを有している。中間部Ｓ２ａ３’は、Ｘ−Ｘ’方向の一対の縁Ｓ２ａ４’を有している。図７Ｂ中のＳ２ａ５’は中間部Ｓ２ａ３’と接続部Ｓ２ａ２’との境界部であり、Ｓ２ａ６’は中間部Ｓ２ａ３’と接点部Ｓ２ａ１’との境界部である。線路Ｓ２ｂ’は、接点部Ｓ２ｂ１’と、接続部Ｓ２ｂ２’と、中間部Ｓ２ｂ３’とを有している。中間部Ｓ２ｂ３’は、Ｘ−Ｘ’方向の一対の縁Ｓ２ｂ４’を有している。図７Ｂ中のＳ２ｂ５’は中間部Ｓ２ｂ３’と接続部Ｓ２ｂ２’との境界部であり、Ｓ２ｂ６’は中間部Ｓ２ｂ３’と接点部Ｓ２ｂ１’との境界部である。
【０１１０】
線路Ｇ２’は、Ｙ−Ｙ’方向に延びており且つ線路Ｓ１ｂ’と線路Ｓ２ａ’との間に配置されたグランド線路又は低速信号線路である。低速信号線路は、線路Ｓ１ａ’、Ｓ１ｂ’、Ｓ２ａ’、Ｓ２ｂ’よりも低速の信号を伝送可能である。例えば、低速信号線路として、線路Ｓ１ａ’、Ｓ１ｂ’、Ｓ２ａ’、Ｓ２ｂ’に伝送される信号の周波数の１／１０以下又は１／１００以下の周波数の信号を伝送可能なシングルエンド信号線路、電源線路又は機能線路等を用いることが可能である。線路Ｇ２’は、絶縁体３００上に形成された導体である以外、端子Ｇ２と略同じ構成である。線路Ｇ２’は、接点部Ｇ２１’と、接続部Ｇ２２’と、中間部Ｇ２３’とを有している。中間部Ｇ２３’は、Ｘ−Ｘ’方向の一対の縁Ｇ２４’を有している。図７Ｂ中のＧ２５’は中間部Ｇ２３’と接続部Ｇ２２’との境界部であり、Ｇ２６’は中間部Ｇ２３’と接点部Ｇ２１’との境界部である。
【０１１１】
線路Ｇ１’は、Ｙ−Ｙ’方向に延びており且つ線路Ｓ１ａ’のＸ’方向側に配置されたグランド線路又は低速信号線路である。低速信号線路は、線路Ｓ１ａ’、Ｓ１ｂ’よりも低速の信号を伝送可能である。例えば、低速信号線路として、線路Ｓ１ａ’、Ｓ１ｂ’に伝送される信号の周波数の１／１０以下又は１／１００以下の周波数の信号を伝送可能なシングルエンド信号線路、電源線路又は機能線路等を用いることが可能である。線路Ｇ１’は、絶縁体３００上に形成された導体である以外、端子Ｇ１と略同じ構成である。線路Ｇ１’は、接点部Ｇ１１’と、接続部Ｇ１２’と、中間部Ｇ１３’とを有している。中間部Ｇ１３’は、Ｘ−Ｘ’方向の一対の縁Ｇ１４’を有している。図７Ｂ中のＧ１５’は中間部Ｇ１３’と接続部Ｇ１２’との境界部であり、Ｇ１６’は中間部Ｇ１３’と接点部Ｇ１１’との境界部である。
【０１１２】
線路Ｓ３ａ’、Ｓ３ｂ’は、Ｙ−Ｙ’方向に延びており且つ互いに隣り合う差動信号線路である。線路Ｓ３ａ’、Ｓ３ｂ’は、絶縁体３００上に形成された導体である以外、端子Ｓ３ａ、Ｓ３ｂと略同じ構成である。線路Ｓ３ａ’は、接点部Ｓ３ａ１’と、接続部Ｓ３ａ２’と、中間部Ｓ３ａ３’とを有している。中間部Ｓ３ａ３’は、Ｘ−Ｘ’方向の一対の縁Ｓ３ａ４’を有している。図７Ｂ中のＳ３ａ５’は中間部Ｓ３ａ３’と接続部Ｓ３ａ２’との境界部であり、Ｓ３ａ６’は中間部Ｓ３ａ３’と接点部Ｓ３ａ１’との境界部である。線路Ｓ３ｂ’は、接点部Ｓ３ｂ１’と、接続部Ｓ３ｂ２’と、中間部Ｓ３ｂ３’とを有している。中間部Ｓ３ｂ３’は、Ｘ−Ｘ’方向の一対の縁Ｓ３ｂ４’を有している。図７Ｂ中のＳ３ｂ５’は中間部Ｓ３ｂ３’と接続部Ｓ３ｂ２’との境界部であり、Ｓ３ｂ６’は中間部Ｓ３ｂ３’と接点部Ｓ３ｂ１’との境界部である。
【０１１３】
線路Ｇ３ａ’、Ｇ３ｂ’は、Ｙ−Ｙ’方向に延びており且つ線路Ｓ２ｂ’と線路Ｓ３ａ’との間で互いに隣り合うように配置されたグランド線路又は低速信号線路である。低速信号線路は、線路Ｓ２ａ’、Ｓ２ｂ’、Ｓ３ａ’、Ｓ３ｂ’よりも低速の信号を伝送可能である。例えば、低速信号線路として、線路Ｓ２ａ’、Ｓ２ｂ’、Ｓ３ａ’、Ｓ３ｂ’に伝送される信号の周波数の１／１０以下又は１／１００以下の周波数の信号を伝送可能なシングルエンド信号線路、電源線路又は機能線路等を用いることが可能である。線路Ｇ３ａ’は、線路Ｓ２ｂ’の隣に配置されている。線路Ｇ３ｂ’は、線路Ｓ３ａ’の隣に配置されている。
【０１１４】
線路Ｇ３ａ’、Ｇ３ｂ’は、絶縁体３００上に形成された導体である以外、端子Ｇ３ａ、Ｇ３ｂと略同じ構成である。線路Ｇ３ａ’は、接点部Ｇ３ａ１’と、接続部Ｇ３ａ２’と、中間部Ｇ３ａ３’とを有している。中間部Ｇ３ａ３’は、Ｘ−Ｘ’方向の一対の縁Ｇ３ａ４’を有している。図７Ｂ中のＧ３ａ５’は中間部Ｇ３ａ３’と接続部Ｇ３ａ２’との境界部であり、Ｇ３ａ６’は中間部Ｇ３ａ３’と接点部Ｇ３ａ１’との境界部である。線路Ｇ３ｂ’は、接点部Ｇ３ｂ１’と、接続部Ｇ３ｂ２’と、中間部Ｇ３ｂ３’とを有している。中間部Ｇ３ｂ３’は、Ｘ−Ｘ’方向の一対の縁Ｇ３ｂ４’を有している。図７Ｂ中のＧ３ｂ５’は中間部Ｇ３ｂ３’と接続部Ｇ３ｂ２’との境界部であり、Ｇ３ｂ６’は中間部Ｇ３ｂ３’と接点部Ｇ３ｂ１’との境界部である。
【０１１５】
線路Ｇ４’は、Ｙ−Ｙ’方向に延びており且つ線路Ｓ３ｂ’のＸ方向側に配置されたグランド線路又は低速信号線路である。低速信号線路は、線路Ｓ３ａ’、Ｓ３ｂ’よりも低速の信号を伝送可能である。例えば、低速信号線路として、線路Ｓ３ａ’、Ｓ３ｂ’に伝送される信号の周波数の１／１０以下又は１／１００以下の周波数の信号を伝送可能なシングルエンド信号線路、電源線路又は機能線路等を用いることが可能である。線路Ｇ４’は、絶縁体３００上に形成された導体である以外、端子Ｇ４と略同じ構成である。線路Ｇ４’は、接点部Ｇ４１’と、接続部Ｇ４２’と、中間部Ｇ４３’とを有している。中間部Ｇ４３’は、Ｘ−Ｘ’方向の一対の縁Ｇ４４’を有している。図７Ｂ中のＧ４５’は中間部Ｇ４３’と接続部Ｇ４２’との境界部であり、Ｇ４６’は中間部Ｇ４３’と接点部Ｇ４１’との境界部である。
【０１１６】
伝送線路構造Ｓの線路のうちの線路Ｇ１’、Ｓ１ａ’、Ｓ１ｂ’、Ｇ２’、Ｓ２ａ’、Ｓ２ｂ’、Ｇ３ａ’に着目すると、線路Ｇ２’のＸ’方向側の縁Ｇ２４’とＸ方向側の縁Ｇ２４’が非平行であり、Ｘ’方向側の縁Ｇ２４’が、線路Ｓ１ｂ’の中間部Ｓ１ｂ３’の縁Ｓ１ｂ４’に対して略平行（Ｘ’方向側の縁Ｇ２４’の縁Ｓ１ｂ４’に対する角度が０°（平行）又はＸ’方向側の縁Ｇ２４’の縁Ｓ１ｂ４’に対する角度が±５°）であり、Ｘ方向側の縁Ｇ２４’が、線路Ｓ２ａ’の中間部Ｓ２ａ３’の縁Ｓ２ａ４’に対して略平行（Ｘ方向側の縁Ｇ２４’の縁Ｓ２ａ４’に対する角度が０°（平行）又はＸ方向側の縁Ｇ２４’の縁Ｓ２ａ４’に対する角度が±５°）である。このため、線路Ｓ１ａ’の中間部Ｓ１ａ３’の縁Ｓ１ａ４’及び線路Ｓ１ｂ’の中間部Ｓ１ｂ３’の縁Ｓ１ｂ４’が平行であり、且つ線路Ｓ２ａ’の中間部Ｓ２ａ３’の縁Ｓ２ａ４’及び線路Ｓ２ｂ’の中間部Ｓ２ｂ３’の縁Ｓ２ｂ４’が平行であることを維持しつつ、中間部Ｓ１ａ３’、Ｓ１ｂ３’の接点部Ｓ１ａ１’、Ｓ１ｂ１’に対する傾斜角を中間部Ｓ２ａ３’、Ｓ２ｂ３’の接点部Ｓ２ａ１’、Ｓ２ｂ１’に対する傾斜角よりも小さくすることができる。中間部Ｓ１ａ３’、Ｓ１ｂ３’の傾斜角が中間部Ｓ２ａ３’、Ｓ２ｂ３’の傾斜角に依存しないので、中間部Ｓ１ａ３’、Ｓ１ｂ３’の長さの相違が抑制され、当該長さの相違から生じる接続部Ｓ１ａ２’、Ｓ１ｂ２’の長さ寸法の相違が抑制される。すなわち、線路Ｓ１ａ’、Ｓ１ｂ’の形状の相違が低減される。よって、線路Ｓ１ａ’、Ｓ１ｂ’により伝送される信号のノイズ及び信号のロスを低減することができ、信号の劣化を低減することができる。更に、線路Ｓ１ａ’のＸ’方向の隣に線路Ｇ１’が配置されており、線路Ｓ１ｂ’のＸ方向の隣に線路Ｇ２’が配置されている。線路Ｓ１ａ’のＸ’方向側の縁Ｓ１ａ４’と線路Ｇ１’のＸ方向側の縁Ｇ１４’が略平行（Ｘ方向側の縁Ｇ１４’の縁Ｓ１ａ４’に対する角度が０°（平行）又はＸ方向側の縁Ｇ１４’の縁Ｓ１ａ４’に対する角度が±５°）である。線路Ｓ１ｂ’のＸ方向側の縁Ｓ１ｂ４’と線路Ｇ２’のＸ’方向側の縁Ｇ２４’が略平行（Ｘ’方向側の縁Ｇ２４’の縁Ｓ１ｂ４’に対する角度が０°（平行）又はＸ’方向側の縁Ｇ２４’の縁Ｓ１ｂ４’に対する角度が±５°）である。線路Ｓ１ａ’のＸ’方向側の縁Ｓ１ａ４’と線路Ｇ１’のＸ方向側の縁Ｇ１４’との間の距離と、線路Ｓ１ｂ’のＸ方向側の縁Ｓ１ｂ４’と線路Ｇ２’のＸ’方向側の縁Ｇ２４’との間の距離とは、略同じである。よって、線路Ｓ１ａ’と線路Ｓ１ｂ’とのインピーダンス整合を図ることができる。線路Ｓ２ａ’のＸ’方向の隣に線路Ｇ２’が配置されており、線路Ｓ２ｂ’のＸ方向の隣に線路Ｇ３ａ’が配置されている。線路Ｓ２ａ’のＸ’方向側の縁Ｓ２ａ４’と線路Ｇ２’のＸ方向側の縁Ｇ２４’が略平行（Ｘ方向側の縁Ｇ２４’の縁Ｓ２ａ４’に対する角度が０°（平行）又はＸ方向側の縁Ｇ２４’の縁Ｓ２ａ４’に対する角度が±５°）である。線路Ｓ２ｂ’のＸ方向側の縁Ｓ２ｂ４’と線路Ｇ３ａ’のＸ’方向側の縁Ｇ３ａ４’が略平行（Ｘ’方向側の縁Ｇ３ａ４’の縁Ｓ２ｂ４’に対する角度が０°（平行）又はＸ’方向側の縁���３ａ４’の縁Ｓ２ｂ４’に対する角度が±５°）である。線路Ｓ２ａ’のＸ’方向側の縁Ｓ２ａ４’と線路Ｇ２’のＸ方向側の縁Ｇ２４’との間の距離と、線路Ｓ２ｂ’のＸ方向側の縁Ｓ２ｂ４’と線路Ｇ３ａ’のＸ’方向側の縁Ｇ３ａ４’との間の距離とは、略同じである。よって、線路Ｓ２ａ’と線路Ｓ２ｂ’とのインピーダンス整合を図ることができる。なお、ここでは（本段落では）、線路Ｓ１ｂ’、Ｓ１ａ’が特許請求の範囲の一方の第１線路、他方の第１線路に相当する。接点部Ｓ１ｂ１’、Ｓ１ａ１’が特許請求の範囲の第１接点部に相当する。接続部Ｓ１ｂ２’、Ｓ１ａ２’が特許請求の範囲の第１接続部に相当する。中間部Ｓ１ｂ３’、Ｓ１ａ３’が特許請求の範囲の第１中間部に相当する。線路Ｓ２ｂ’、Ｓ２ａ’が特許請求の範囲の一方の第２線路、他方の第２線路に相当する。接点部Ｓ２ｂ１’、Ｓ２ａ１’が特許請求の範囲の第２接点部に相当する。接続部Ｓ２ｂ２’、Ｓ２ａ２’が特許請求の範囲の第２接続部に相当する。中間部Ｓ２ｂ３’、Ｓ２ａ３’が特許請求の範囲の第２中間部に相当する。線路Ｇ２’が特許請求の範囲の第３線路に相当する。接点部Ｇ２１’が特許請求の範囲の第３接点部に相当する。接続部Ｇ２２’が特許請求の範囲の第３接続部に相当する。中間部Ｇ２３’が特許請求の範囲の第３中間部に相当する。線路Ｇ１’が特許請求の範囲の第４線路に相当する。接点部Ｇ１１’が特許請求の範囲の第４接点部に相当する。接続部Ｇ１２’が特許請求の範囲の第４接続部に相当する。中間部Ｇ１３’が特許請求の範囲の第４中間部に相当する。線路Ｇ３ａ’が特許請求の範囲の第５線路に相当する。接点部Ｇ３ａ１’が特許請求の範囲の第５接点部に相当する。接続部Ｇ３ａ２’が特許請求の範囲の第５接続部に相当する。中間部Ｇ３ａ３’が特許請求の範囲の第５中間部に相当する。
【０１１７】
上記伝送線路構造Ｓの線路のうちの線路Ｇ２’、Ｓ２ａ’、Ｓ２ｂ’、Ｇ３ａ’、Ｇ３ｂ’、Ｓ３ａ’、Ｓ３ｂ’、Ｇ４’に着目すると、線路Ｇ３ａ’のＸ’方向側の縁Ｇ３ａ４’と線路Ｇ３ｂ’のＸ方向側の縁Ｇ３ｂ４’とが非平行であり、Ｘ’方向側の縁Ｇ３ａ４’が、線路Ｓ２ｂ’の中間部Ｓ２ｂ３’の縁Ｓ２ｂ４’に対して略平行（Ｘ’方向側の縁Ｇ３ａ４’の縁Ｓ２ｂ４’に対する角度が０°（平行）又はＸ’方向側の縁Ｇ３ａ４’の縁Ｓ２ｂ４’に対する角度が±５°）であり、Ｘ方向側の縁Ｇ３ｂ４’が、線路Ｓ３ａ’の中間部Ｓ３ａ３’の縁Ｓ３ａ４’に対して略平行（Ｘ方向側の縁Ｇ３ｂ４’の縁Ｓ３ａ４’に対する角度が０°（平行）又はＸ方向側の縁Ｇ３ｂ４’の縁Ｓ３ａ４’に対する角度が±５°）である。このため、線路Ｓ２ａ’の中間部Ｓ２ａ３’の縁Ｓ２ａ４’及び線路Ｓ２ｂ’の中間部Ｓ２ｂ３’の縁Ｓ２ｂ４’が平行であり、且つ線路Ｓ３ａ’の中間部Ｓ３ａ３’の縁Ｓ３ａ４’及び線路Ｓ３ｂ’の中間部Ｓ３ｂ３’の縁Ｓ３ｂ４’が平行であることを維持しつつ、中間部Ｓ２ａ３’、Ｓ２ｂ３’の接点部Ｓ２ａ１’、Ｓ２ｂ１’に対する傾斜角を中間部Ｓ３ａ３’、Ｓ３ｂ３’の接点部Ｓ３ａ１’、Ｓ３ｂ１’に対する傾斜角よりも小さくすることができる。中間部Ｓ２ａ３’、Ｓ２ｂ３’の傾斜角が中間部Ｓ３ａ３’、Ｓ３ｂ３’の傾斜角に依存しないので、中間部Ｓ２ａ３’、Ｓ２ｂ３’の長さの相違が抑制され、当該長さの相違から生じる接続部Ｓ２ａ２’、Ｓ２ｂ２’の長さ寸法の相違を抑制することができる。すなわち、線路Ｓ２ａ’、Ｓ２ｂ’の形状の相違が低減される。よって、線路Ｓ２ａ’、Ｓ２ｂ’により伝送される信号のノイズ及び信号のロスを低減することができ、信号の劣化を低減することができる。更に、線路Ｓ２ａ’のＸ’方向の隣に線路Ｇ２’が配置されており、線路Ｓ２ｂ’のＸ方向の隣に線路Ｇ３ａ’が配置されている。線路Ｓ２ａ’のＸ’方向側の縁Ｓ２ａ４’と線路Ｇ２’のＸ方向側の縁Ｇ２４’が略平行（Ｘ方向側の縁Ｇ２４’の縁Ｓ２ａ４’に対する角度が０°（平行）又はＸ方向側の縁Ｇ２４’の縁Ｓ２ａ４’に対する角度が±５°）である。線路Ｓ２ｂ’のＸ方向側の縁Ｓ２ｂ４’と線路Ｇ３ａ’のＸ’方向側の縁Ｇ３ａ４’が略平行（Ｘ’方向側の縁Ｇ３ａ４’の縁Ｓ２ｂ４’に対する角度が０°（平行）又はＸ’方向側の縁Ｇ３ａ４’の縁Ｓ２ｂ４’に対する角度が±５°）である。線路Ｓ２ａ’のＸ’方向側の縁Ｓ２ａ４’と線路Ｇ２’のＸ方向側の縁Ｇ２４’との間の距離と、線路Ｓ２ｂ’のＸ方向側の縁Ｓ２ｂ４’と線路Ｇ３ａ’のＸ’方向側の縁Ｇ３ａ４’との間の距離とは、略同じである。よって、線路Ｓ２ａ’と線路Ｓ２ｂ’とのインピーダンス整合を図ることができる。線路Ｓ３ａ’のＸ’方向の隣に線路Ｇ３ｂ’が配置されており、線路Ｓ３ｂ’のＸ方向の隣に線路Ｇ４’が配置されている。線路Ｓ３ａ’のＸ’方向側の縁Ｓ３ａ４’と線路Ｇ３ｂ’のＸ方向側の縁Ｇ３ｂ４’が略平行（Ｘ方向側の縁Ｇ３ｂ４’の縁Ｓ３ａ４’に対する角度が０°（平行）又はＸ方向側の縁Ｇ３ｂ４’の縁Ｓ３ａ４’に対する角度が±５°）である。線路Ｓ３ｂ’のＸ方向側の縁Ｓ３ｂ４’と線路Ｇ４’のＸ’方向側の縁Ｇ４４’が略平行（Ｘ’方向側の縁Ｇ４４’の縁Ｓ３ｂ４’に対する角度が０°（平行）又はＸ’方向側の縁Ｇ４４’の縁Ｓ３ｂ４’に対する角度が±５°）である。線路Ｓ３ａ’のＸ’方向側の縁Ｓ３ａ４’と線路Ｇ３ｂ’のＸ方向側の縁Ｇ３ｂ４’との間の距離と、線路Ｓ３ｂ’のＸ方向側の縁Ｓ３ｂ４’と線路Ｇ４’のＸ’方向側の縁Ｇ４４’との間の距離とは、略同じである。よって、線路Ｓ３ａ’と線路Ｓ３ｂ’とのインピーダンス整合を図ることができる。なお、ここでは（本段落）、線路Ｓ２ｂ’、Ｓ２ａ’が特許請求の範囲の一方の第１線路、他方の第１線路に相当する。接点部Ｓ２ｂ１’、Ｓ２ａ１’が特許請求の範囲の第１接点部に相当する。接続部Ｓ２ｂ２’、Ｓ２ａ２’が特許請求の範囲の第１接続部に相当する。中間部Ｓ２ｂ３’、Ｓ２ａ３’が特許請求の範囲の第１中間部に相当する。線路Ｓ３ｂ’、Ｓ３ａ’が特許請求の範囲の一方の第２線路、他方の第２線路に相当する。接点部Ｓ３ｂ１’、Ｓ３ａ１’が特許請求の範囲の第２接点部に相当する。接続部Ｓ３ｂ２’、Ｓ３ａ２’が特許請求の範囲の第２接続部に相当する。中間部Ｓ３ｂ３’、Ｓ３ａ３’が特許請求の範囲の第２中間部に相当する。線路Ｇ３ａ’が特許請求の範囲の第６線路に相当する。接点部Ｇ３ａ１’が特許請求の範囲の第６接点部に相当する。接続部Ｇ３ａ２’が特許請求の範囲の第６接続部に相当する。中間部Ｇ３ａ３’が特許請求の範囲の第６中間部に相当する。中間部Ｇ３ａ３’のＸ’方向側の縁Ｇ３ａ４’が特許請求の範囲の第６中間部の一方の縁に相当する。線路Ｇ３ｂ’が特許請求の範囲の第７線路に相当する。接点部Ｇ３ｂ１’が特許請求の範囲の第７接点部に相当する。接続部Ｇ３ｂ２’が特許請求の範囲の第７接続部に相当する。中間部Ｇ３ｂ３’が特許請求の範囲の第７中間部に相当する。線路Ｇ２’が特許請求の範囲の第４線路に相当する。接点部Ｇ２１’が特許請求の範囲の第４接点部に相当する。接続部Ｇ２２’が特許請求の範囲の第４接続部に相当する。中間部Ｇ２３’が特許請求の範囲の第４中間部に相当する。線路Ｇ４’が特許請求の範囲の第５線路に相当する。接点部Ｇ４１’が特許請求の範囲の第５接点部に相当する。接続部Ｇ４２’が特許請求の範囲の第５接続部に相当する。中間部Ｇ４３’が特許請求の範囲の第５中間部に相当する。
【０１１８】
なお、上記したコネクタＣ及び伝送線路構造Ｓは、上記実施例に限定されるものではなく、特許請求の範囲の記載範囲において任意に設計変更することが可能である。以下、詳しく述べる。
【０１１９】
本発明のコネクタは、絶縁性を有するボディと、上記実施例又は後述の設計変更例の複数の端子と備えている限り任意に設計変更することが可能である。本発明のボディは、少なくとも上記実施例又は後述の設計変更例の一対の第１端子、第２端子及び第３端子を略同じ高さ位置で第１方向に間隔をあけて部分的に保持し得る絶縁体、又は、少なくとも上記実施例又は後述の設計変更例の一対の第１端子、第２端子、第６端子及び第７端子を略同じ高さ位置で第１方向に間隔をあけて部分的に保持し得る絶縁体である限り任意に設計変更することが可能である。例えば、ボディに設けられた複数の圧入孔や圧入溝に、一対の第１端子、第２端子及び第３端子、又は、一対の第１端子、第２端子、第６端子及び第７端子が圧入され、保持される構成とすることが可能である。
【０１２０】
本発明の伝送電路構造は、絶縁体と、上記実施例又は後述の設計変更例の複数の線路を備えている限り任意に設計変更することが可能である。本発明の絶縁体は、当該絶縁体上に少なくとも上記実施例又は後述の設計変更例の一対の第１線路、第２線路及び第３線路が第１方向に間隔をあけて設けられ得る、又は、当該絶縁体上に少なくとも上記実施例又は後述の設計変更例の一対の第１線路、第２線路、第６線路及び第７線路が第１方向に間隔をあけて設けられ得るものである限り任意に設計変更することが可能である。例えば、絶縁体は、絶縁樹脂製の板やブロック等であっても良い。
【０１２１】
本発明の一対の第１端子は、次の構成である限り任意に設計変更することが可能である。一対の第１端子は、第１方向に交差する第２方向に延びており且つ互いに隣り合う差動信号端子であって、第１方向の一方側に位置する一方の第１端子と、第１方向の他方側に位置する他方の第１端子とを有している。当該一方及び他方の第１端子は、第１接点部と、第１接点部の第１方向の一方及び第２方向の成分を含む斜め方向側に位置する第１接続部と、第１接点部と第１接続部との間に設けられており且つ第１方向の一方及び第２方向の成分を含む斜め方向に延びた第１中間部とを有している。第１中間部は第１方向の一対の縁を有している。当該一方及び他方の第１端子の第１中間部の縁が平行である。なお、本発明の一対の第１線路は、絶縁体上に設けられた差動信号線路である以外、本発明の第１端子と同様の構成とすることが可能である。
【０１２２】
本発明の第２端子は少なくとも一つあれば良い。本発明の少なくとも一つの第２端子は、次の構成である限り任意に設計変更することが可能である。第２端子は、第２方向に延びた信号端子である。当該第２端子は、第２接点部と、第２接点部の第１方向の一方及び第２方向の成分を含む斜め方向側に位置する第２接続部と、第２接点部と第２接続部との間に設けられ、第１方向の一方及び第２方向の成分を含む斜め方向に延びており且つ第１中間部よりも前記第１方向の一方に傾斜している第２中間部とを有している。第２中間部は、第１方向の一対の縁を有する。この縁は互いに平行であり且つ第１中間部の縁に対して非平行である。なお、本発明の第２線路は、絶縁体上に設けられた信号線路である以外、本発明の第２端子と同様の構成とすることが可能である。
【０１２３】
本発明の第３端子は、次の構成である限り任意に設計変更することが可能である。第３端子は、第２方向に延びたグランド端子、又は第２方向に延びており且つ第１、第２端子よりも低速の信号を伝送可能な低速信号端子であって、一方の第１端子と第２端子との間に配置されている。当該第３端子は、第３接点部と、第３接点部の第１方向の一方及び第２方向の成分を含む斜め方向側に位置する第３接続部と、第３接点部と第３接続部との間に設けられており且つ第１方向の一方及び第２方向の成分を含む斜め方向に延びた第３中間部とを有している。第３中間部は、互いに非平行である第１方向の一対の縁を有している。当該第３中間部の一対の縁のうち、一方の第１端子の第１中間部の隣に位置する縁が、当該第１端子の第１中間部の縁に対して略平行である。当該第３中間部の一対の縁のうち、第２端子の第２中間部の隣に位置する縁が、当該第２端子の第２中間部の縁に対して略平行である。
【０１２４】
本発明の第３端子の第３中間部の一対の縁の間の距離は、第１端子の第１中間部の一対の縁の間の距離及び第２端子の第２中間部の一対の縁の間の距離よりも小さくても良い。本発明の第３端子の第３中間部の一対の縁の間の距離のうち最も大きい距離が、第１端子の第１中間部の一対の縁の間の距離及び第２端子の第２中間部の一対の縁の間の距離よりも大きく、且つ本発明の第３端子の第３中間部の一対の縁の間の距離のうち最も小さい距離が、第１端子の第１中間部の一対の縁の間の距離及び第２端子の第２中間部の一対の縁の間の距離よりも小さくすることが可能である。本発明の第３端子の第３中間部の一対の縁の間の距離のうち中間の大きさ距離が、第１端子の第１中間部の一対の縁の間の距離及び第２端子の第２中間部の一対の縁の間の距離よりも大きく、且つ本発明の第３端子の第３中間部の一対の縁の間の距離のうち最も小さい距離が、第１端子の第１中間部の一対の縁の間の距離及び第２端子の第２中間部の一対の縁の間の距離よりも小さくすることが可能である。なお、本発明の第３線路は、絶縁体上に設けられたグランド線路又は低速信号線路である以外、本発明の第３端子と同様の構成とすることが可能である。
【０１２５】
本発明の第６端子は、次の構成である限り任意に設計変更することが可能である。第６端子は、第２方向に延びたグランド端子、又は第２方向に延びており且つ第１、第２端子よりも低速の信号を伝送可能な低速信号端子であって、一方の第１端子と第２端子との間で、当該一方の第１端子の隣に配置されている。当該第６端子は、第６接点部と、第６接点部の第１方向の一方及び第２方向の成分を含む斜め方向側に位置する第６接続部と、第６接点部と第６接続部との間に設けられており且つ第１方向の一方及び第２方向の成分を含む斜め方向に延びた第６中間部とを有している。第６中間部は、第１方向の一対の縁を有している。当該第６中間部の一対の縁のうち、一方の第１端子の第１中間部の隣に位置する一方の縁が、当該第１端子の第１中間部の縁に対して略平行である。
【０１２６】
本発明の第６端子の第６中間部の一対の縁の間の距離は、第１端子の第１中間部の一対の縁の間の距離よりも小さくても良い。本発明の第６端子の第６中間部の一対の縁の間の距離のうち最も大きい距離が、第１端子の第１中間部の一対の縁の間の距離よりも大きく、且つ本発明の第６端子の第６中間部の一対の縁の間の距離のうち最も小さい距離が、第１端子の第１中間部の一対の縁の間の距離よりも小さくすることが可能である。本発明の第６端子の第６中間部の一対の縁の間の距離のうち中間の大きさ距離が、第１端子の第１中間部の一対の縁の間の距離よりも大きく、且つ本発明の第６端子の第６中間部の一対の縁の間の距離のうち最も小さい距離が、第１端子の第１中間部の一対の縁の間の距離よりも小さくすることも可能である。なお、本発明の第６線路は、絶縁体上に設けられたグランド線路又は低速信号線路である以外、本発明の第６端子と同様の構成とすることが可能である。
【０１２７】
本発明の第７端子は、次の構成である限り任意に設計変更することが可能である。第７端子は、第２方向に延びたグランド端子、又は第２方向に延びており且つ第１、第２端子よりも低速の信号を伝送可能な低速信号端子であって、一方の第１端子と第２端子との間で、当該第２端子の隣に配置されている。当該第７端子は、第７接点部と、第７接点部の第１方向の一方及び第２方向の成分を含む斜め方向側に位置する第７接続部と、第７接点部と第７接続部との間に設けられており且つ第１方向の一方及び第２方向の成分を含む斜め方向に延びた第７中間部とを有している。第７中間部は、第１方向の一対の縁を有しており、当該第７中間部の一対の縁のうち、第２端子の第２中間部の隣に位置する縁が、当該第２端子の第２中間部の縁に対して略平行であり且つ第６端子の第６中間部の一方の縁に対して非平行である。
【０１２８】
本発明の第７端子の第７中間部の一対の縁の間の距離は、第２端子の第２中間部の一対の縁の間の距離よりも小さくても良い。本発明の第７端子の第７中間部の一対の縁の間の距離のうち最も大きい距離が、第２端子の第２中間部の一対の縁の間の距離よりも大きく、且つ本発明の第７端子の第７中間部の一対の縁の間の距離のうち最も小さい距離が、第２端子の第２中間部の一対の縁の間の距離よりも小さくすることも可能である。本発明の第７端子の第７中間部の一対の縁の間の距離のうち中間の大きさ距離が、第２端子の第２中間部の一対の縁の間の距離よりも大きく、且つ本発明の第７端子の第７中間部の一対の縁の間の距離のうち最も小さい距離が、第２端子の第２中間部の一対の縁の間の距離よりも小さくすることも可能である。なお、本発明の第７線路は、絶縁体上に設けられたグランド線路又は低速信号線路である以外、本発明の第７端子と同様の構成とすることが可能である。
【０１２９】
上記実施例又は上記設計変更例の第６端子と上記実施例又は上記設計変更例の第７端子とは、互いに隣り合っている必要はなく、両者の間に少なくとも一つの第８端子が配置されていても良い。この第８端子は、上記実施例又は上記設計変更例のボディに保持されていれば良い。上記実施例又は上記設計変更例の第６線路と上記実施例又は上記設計変更例の第７線路とは、互いに隣り合っている必要はなく、両者の間に少なくとも一つの第８線路が配置されていても良い。この第８線路は、上記実施例又は上記設計変更例の絶縁体に保持されていれば良い。
【０１３０】
本発明の第４端子は省略可能である。本発明の第４端子は、第２方向に延びたグランド端子、又は第２方向に延びており且つ第１端子よりも低速の信号を伝送可能な低速信号端子であって、他方の第１端子の第１方向の他方側で、ボディに部分的に保持されている限り任意に設計変更することが可能である。本発明の第４端子も、ボディの圧入孔又は圧入溝に圧入され、保持された構成とすることが可能である。なお、本発明の第４線路は、絶縁体上に設けられたグランド線路又は低速信号線路である以外、本発明の第４端子と同様の構成とすることが可能である。
【０１３１】
本発明の第５端子は省略可能である。本発明の第５端子は、第２方向に延びたグランド端子、又は第２方向に延びており且つ第２端子よりも低速の信号を伝送可能な低速信号端子であって、一方の第２端子の第１方向の一方側で、ボディに部分的に保持されている限り任意に設計変更することが可能である。本発明の第５端子も、ボディの圧入孔又は圧入溝に圧入され、保持された構成とすることが可能である。なお、本発明の第５線路は、絶縁体上に設けられたグランド線路又は低速信号線路である以外、本発明の第５端子と同様の構成とすることが可能である。
【０１３２】
上記実施例又は上記設計変形例の接点部は、直線状とすることが可能である。上記実施例又は上記設計変形例の接点部のうちの一部又は全部の長さ寸法が相違しても良い。上記実施例又は上記設計変形例の接点部と上記実施例又は上記設計変形例の中間部との間の境界部は、Ｘ−Ｘ’方向に一列に並んでいなくても良い。
【０１３３】
上記実施例又は上記設計変形例の接続部の一部又は全部の長さ寸法が相違しても良い。例えば、グランド端子の接続部又は低速信号端子の接続部が差動信号端子の接続部よりも長くなっていても良いし、短くなっていても良い。グランド線路の接続部又は低速信号線路の接続部が差動信号線路の接続部よりも長くなっていても良いし、短くなっていても良い。上記実施例又は上記設計変形例の接続部と上記実施例又は上記設計変形例の中間部との間の境界部は、Ｘ−Ｘ’方向に一列に並んでいなくても良い。上記実施例又は上記設計変形例の接続部は、上記実施例又は上記設計変形例の接点部のＸ方向、Ｙ’方向及びＺ方向の成分を含む斜め方向側、又はＸ方向、Ｙ’方向及びＺ’方向の成分を含む斜め方向側に位置する構成とすることが可能である。この場合、上記実施例又は上記設計変形例の中間部は、Ｘ方向、Ｙ’方向及びＺ方向の成分を含む斜め方向、又はＸ方向、Ｙ’方向及びＺ’方向の成分を含む斜め方向に延びた（傾斜した）構成とすることが可能である。
【０１３４】
上記実施例又は上記設計変形例の接続部は、上記実施例又は上記設計変形例の接点部のＸ方向及びＹ’方向の成分を含む斜め方向側に位置する接続部本体と、この接続部本体からＺ方向又はＺ’方向の成分を含む方向に伸びる延長部を有する構成とすることが可能である。
【０１３５】
なお、上記実施例におけるコネクタＣ及び伝送線路構造Ｓの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。本発明の第１方向（Ｘ−Ｘ’方向）は、上記実施例又は上記設計変更例の端子又は線路が間隔をあけて配列される配列方向である限り任意に設定することが可能である。本発明の第２方向（Ｙ−Ｙ’方向）は、第１方向に交差している限り任意に設定することが可能である。本発明の第３方向（Ｚ−Ｚ’方向）は、第１方向及び第２方向に交差している限り任意に設定することが可能である。本発明の第１方向、第２方向、第３方向の何れか一方を各方向の一方、他方を各方向の他方にすれば良い。
【符号の説明】
【０１３６】
Ｃ・・・・・・・・コネクタ
１００・・・・・ボディ
２００・・・・・端子群
Ｓ１ａ、Ｓ１ｂ・端子
Ｓ１ａ１、Ｓ１ｂ１・接点部
Ｓ１ａ２、Ｓ１ｂ２・接続部
Ｓ１ａ３、Ｓ１ｂ３・中間部
Ｓ１ａ４、Ｓ１ｂ４・縁
Ｓ１ａ５、Ｓ１ｂ５・境界部
Ｓ１ａ６、Ｓ１ｂ６・境界部
Ｓ２ａ、Ｓ２ｂ・端子
Ｓ２ａ１、Ｓ２ｂ１・接点部
Ｓ２ａ２、Ｓ２ｂ２・接続部
Ｓ２ａ３、Ｓ２ｂ３・中間部
Ｓ２ａ４、Ｓ２ｂ４・縁
Ｓ２ａ５、Ｓ２ｂ５・境界部
Ｓ２ａ６、Ｓ２ｂ６・境界部
Ｓ３ａ、Ｓ３ｂ・端子
Ｓ３ａ１、Ｓ３ｂ１・接点部
Ｓ３ａ２、Ｓ３ｂ２・接続部
Ｓ３ａ３、Ｓ３ｂ３・中間部
Ｓ３ａ４、Ｓ３ｂ４・縁
Ｓ３ａ５、Ｓ３ｂ５・境界部
Ｓ３ａ６、Ｓ３ｂ６・境界部
Ｓ４ａ、Ｓ４ｂ・端子
Ｓ４ａ１、Ｓ４ｂ１・接点部
Ｓ４ａ２、Ｓ４ｂ２・接続部
Ｓ４ａ３、Ｓ４ｂ３・中間部
Ｓ４ａ４、Ｓ４ｂ４・縁
Ｓ４ａ５、Ｓ４ｂ５・境界部
Ｓ４ａ６、Ｓ４ｂ６・境界部
Ｇ１・・・・・・・・・端子
Ｇ１１・・・・・・・接点部
Ｇ１２・・・・・・・接続部
Ｇ１３・・・・・・・中間部
Ｇ１４・・・・・・・縁
Ｇ１５・・・・・・・境界部
Ｇ１６・・・・・・・境界部
Ｇ２・・・・・・・・・端子
Ｇ２１・・・・・・・接点部
Ｇ２２・・・・・・・接続部
Ｇ２３・・・・・・・中間部
Ｇ２４・・・・・・・縁
Ｇ２５・・・・・・・境界部
Ｇ２６・・・・・・・境界部
Ｇ３ａ、Ｇ３ｂ・端子
Ｇ３ａ１、Ｇ３ｂ１・接点部
Ｇ３ａ２、Ｇ３ｂ２・接続部
Ｇ３ａ３、Ｇ３ｂ３・中間部
Ｇ３ａ４、Ｇ３ｂ４・縁
Ｇ３ａ５、Ｇ３ｂ５・境界部
Ｇ３ａ６、Ｇ３ｂ６・境界部
Ｇ４・・・・・・・・・端子
Ｇ４１・・・・・・・接点部
Ｇ４２・・・・・・・接続部
Ｇ４３・・・・・・・中間部
Ｇ４４・・・・・・・縁
Ｇ４５・・・・・・・境界部
Ｇ４６・・・・・・・境界部
Ｇ５・・・・・・・・・端子
Ｇ５１・・・・・・・接点部
Ｇ５２・・・・・・・接続部
Ｇ５３・・・・・・・中間部
Ｇ５４・・・・・・・縁
Ｇ５５・・・・・・・境界部
Ｇ５６・・・・・・・境界部
Ｓ・・・・・・・・伝送線路構造
３００・・・・・絶縁体
４００・・・・・線路群
Ｓ１ａ’、Ｓ１ｂ’・線路
Ｓ１ａ１’、Ｓ１ｂ１’・接点部
Ｓ１ａ２’、Ｓ１ｂ２’・接続部
Ｓ１ａ３’、Ｓ１ｂ３’・中間部
Ｓ１ａ４’、Ｓ１ｂ４’・縁
Ｓ１ａ５’、Ｓ１ｂ５’・境界部
Ｓ１ａ６’、Ｓ１ｂ６’・境界部
Ｓ２ａ’、Ｓ２ｂ’・線路
Ｓ２ａ１’、Ｓ２ｂ１’・接点部
Ｓ２ａ２’、Ｓ２ｂ２’・接続部
Ｓ２ａ３’、Ｓ２ｂ３’・中間部
Ｓ２ａ４’、Ｓ２ｂ４’・縁
Ｓ２ａ５’、Ｓ２ｂ５’・境界部
Ｓ２ａ６’、Ｓ２ｂ６’・境界部
Ｓ３ａ’、Ｓ３ｂ’・端子
Ｓ３ａ１’、Ｓ３ｂ１’・接点部
Ｓ３ａ２’、Ｓ３ｂ２’・接続部
Ｓ３ａ３’、Ｓ３ｂ３’・中間部
Ｓ３ａ４’、Ｓ３ｂ４’・縁
Ｓ３ａ５’、Ｓ３ｂ５’・境界部
Ｓ３ａ６’、Ｓ３ｂ６’・境界部
Ｓ４ａ’、Ｓ４ｂ’・端子
Ｓ４ａ１’、Ｓ４ｂ１’・接点部
Ｓ４ａ２’、Ｓ４ｂ２’・接続部
Ｓ４ａ３’、Ｓ４ｂ３’・中間部
Ｓ４ａ４’、Ｓ４ｂ４’・縁
Ｓ４ａ５’、Ｓ４ｂ５’・境界部
Ｓ４ａ６’、Ｓ４ｂ６’・境界部
Ｇ１’・・・・・・・・・端子
Ｇ１１’・・・・・・・接点部
Ｇ１２’・・・・・・・接続部
Ｇ１３’・・・・・・・中間部
Ｇ１４’・・・・・・・縁
Ｇ１５’・・・・・・・境界部
Ｇ１６’・・・・・・・境界部
Ｇ２’・・・・・・・・・端子
Ｇ２１’・・・・・・・接点部
Ｇ２２’・・・・・・・接続部
Ｇ２３’・・・・・・・中間部
Ｇ２４’・・・・・・・縁
Ｇ２５’・・・・・・・境界部
Ｇ２６’・・・・・・・境界部
Ｇ３ａ’、Ｇ３ｂ’・端子
Ｇ３ａ１’、Ｇ３ｂ１’・接点部
Ｇ３ａ２’、Ｇ３ｂ２’・接続部
Ｇ３ａ３’、Ｇ３ｂ３’・中間部
Ｇ３ａ４’、Ｇ３ｂ４’・縁
Ｇ３ａ５’、Ｇ３ｂ５’・境界部
Ｇ３ａ６’、Ｇ３ｂ６’・境界部
Ｇ４’・・・・・・・・・端子
Ｇ４１’・・・・・・・接点部
Ｇ４２’・・・・・・・接続部
Ｇ４３’・・・・・・・中間部
Ｇ４４’・・・・・・・縁
Ｇ４５’・・・・・・・境界部
Ｇ４６’・・・・・・・境界部
【図１Ａ】
2015207506.tif 000003
【図１Ｂ】
2015207506.tif 000004
【図２Ａ】
2015207506.tif 000005
【図２Ｂ】
2015207506.tif 000006
【図３Ａ】
2015207506.tif 000007
【図３Ｂ】
2015207506.tif 000008
【図４Ａ】
2015207506.tif 000009
【図４Ｂ】
2015207506.tif 000010
【図５】
2015207506.tif 000011
【図６】
2015207506.tif 000012
【図７Ａ】
2015207506.tif 000013
【図７Ｂ】
2015207506.tif 000014